(57)【要約】  収納ケース、及びそれを有する雲台アセンブリであり、前記収納ケース（２００）は、外筒（１）であって、頂面（１１）、底面（１２）、及び側壁（１３）を有し、前記側壁が開口部を有する外筒（１）と、前記外筒内部に設けられ、前記外筒に回転可能に接続されるホルダ（２）と、を有し、前記ホルダの表面と前記外筒側壁との間の間隔は、収納部（３）を構成し、前記ホルダと前記外筒との相対的な回転に伴い、前記開口部と前記収納部とを第１相対位置と第２相対位置との間で切り替える。ホルダと外筒との回転可能な接続の設計により、開口部と収納部との間の相対的位置をホルダと外筒との相対的な回転に伴い変化できるようにし、巧妙な構造設計により収納ケースの開閉を実現し、収納ケースは、操作が簡単で、構造が美しく、携帯しやすいという利点を有する。
2021534655.tif 000002
【特許請求の範囲】
【請求項１】
収納ケースであって、
外筒であって、頂面、底面、及び側壁を有し、前記側壁が開口部を有する外筒と、
前記外筒内部に設けられ、前記外筒に回転可能に接続されるホルダと、を有し、
前記ホルダの表面と前記外筒側壁との間の間隔は、収納部を構成し、前記ホルダと前記外筒との相対的な回転に伴い、前記開口部と前記収納部とを第１相対位置と第２相対位置との間で切り替える収納ケース。
【請求項２】
前記開口部と前記収納部とが第１相対位置にあるとき、前記収納部は、前記開口部により露出され、
前記開口部と収納部とが第２相対位置にあるとき、前記収納部は、前記側壁により遮蔽される請求項１に記載の収納ケース。
【請求項３】
前記ホルダと前記外筒との回転可能な接続は、弾性部により実現される請求項１又は２に記載の収納ケース。
【請求項４】
前記ホルダと前記外筒との回転可能な接続は、ホルダと外筒との間の歯止め噛合により実現される請求項１又は２に記載の収納ケース。
【請求項５】
前記ホルダと前記外筒との回転可能な接続は、前記ホルダと前記外筒との間に設けられたダンパにより実現される請求項１又は２に記載の収納ケース。
【請求項６】
前記弾性部は、前記ホルダと前記外筒との間に接続されたぜんまいばねを有する請求項３に記載の収納ケース。
【請求項７】
前記ぜんまいばねの第１端は、折り曲げ部を構成し、且つ前記外筒底面の突起に係合すること、
前記ぜんまいばねの第２端は、折り曲げ部を構成し、且つ前記ホルダ側面の固定部に係合することのうちの少なくとも一つを特徴とする請求項６に記載の収納ケース。
【請求項８】
前記収納部と前記開口部とが第１相対位置にあるとき、前記ぜんまいばねは、平衡位置に位置し、
及び、前記収納部と前記開口部とが第２相対位置にあるとき、前記ぜんまいばねは、引っ張られる請求項６に記載の収納ケース。
【請求項９】
前記収納ケースは、前記ホルダを前記外筒にロックするための回転阻止部をさらに有する請求項１又は２に記載の収納ケース。
【請求項１０】
前記回転阻止部は、前記外筒底面に接続され、前記ホルダは、ロックベースを有し、前記ロックベースは、前記外筒底面を貫通するように設けられて前記外筒から露出し、
前記回転阻止部は、前記ロックベースに対して移動してロック状態とロック解除状態との間で切り替わることができ、
ここで、前記回転阻止部が前記ロックベースに対して前記ロック解除状態まで移動すると、前記ホルダは、前記外筒に対して回転することで、前記開口部と前記収納部とを第１相対位置と第２相対位置との間で切り替えることができ、
前記開口部と前記収納部とが第２相対位置にあると、前記回転阻止部が前記ロックベースに対して前記ロック状態まで移動することに伴い、前記ホルダを前記外筒にロックすることで、前記開口部と前記収納部とを第２相対位置に保つ請求項９に記載の収納ケース。
【請求項１１】
前記回転阻止部には係着突起が設けられ、前記ロックベースには係着溝が設けられ、
前記回転阻止部が前記ロックベースに対して前記ロック解除状態まで移動すると、前記係着突起は、前記係着溝と分離し、
前記回転阻止部が前記ロックベースに対して前記ロック状態まで移動すると、前記係着突起は、前記係着溝と係着して係合する請求項１０に記載の収納ケース。
【請求項１２】
前記回転阻止部には操作端が設けられ、前記操作端を操作することで、前記回転阻止部が前記ロックベースに対して移動してロック状態とロック解除状態との間で切り替わるようにする請求項１０に記載の収納ケース。
【請求項１３】
前記回転阻止部には弾性部品がさらに設けられ、前記弾性部品は、前記外筒底面に固定して接続され、
前記操作端が被操作状態にあると、前記回転阻止部は、前記ロックベースに対して離れてロック解除状態へ切り替わり、
前記操作端が被操作状態から弛緩状態に切り替わると、前記回転阻止部は、前記弾性部品の弾性力の作用により前記ロックベースに対して近づいてロック状態へ切り替わる請求項１２に記載の収納ケース。
【請求項１４】
前記外筒底面には収納溝が設けられ、前記回転阻止部は、前記収納溝内に摺動して接続され、
前記回転阻止部は、前記収納溝内において前記ロックベースに対して移動してロック状態とロック解除状態との間で切り替わる請求項１０に記載の収納ケース。
【請求項１５】
前記ロックベースは、円柱状を呈し、且つ充電ポートが設けられる請求項１０に記載の収納ケース。
【請求項１６】
前記外筒底面は、第１蓋本体を有し、前記第１蓋本体は、環状を呈し、貫通孔を有し、前記ロックベースは、前記貫通孔を貫通して前記外筒から露出する請求項１０に記載の収納ケース。
【請求項１７】
前記第１蓋本体の辺縁には摺動突起が設けられ、前記摺動突起には前記第１蓋本体の周方向に沿って開設された固定溝が設けられ、
前記外筒内側壁にはガイド溝及び固定突起が設けられ、前記ガイド溝及び前記固定突起は、前記外筒の周方向に沿って隣接して設けられ、
前記摺動突起は、前記ガイド溝に沿って前記固定突起へ摺動することで、前記固定突起を前記固定溝へ滑り入れ、前記固定溝と係合させ、前記第１蓋本体と前記側壁とを固定して接続させることができる請求項１６に記載の収納ケース。
【請求項１８】
前記摺動突起は、複数有し、複数の前記摺動突起は、前記第１蓋本体の辺縁に均等に分布する請求項１７に記載の収納ケース。
【請求項１９】
前記固定溝の両端は、前記摺動突起を貫通する請求項１７又は１８に記載の収納ケース。
【請求項２０】
前記外筒底面は、第２蓋本体をさらに有し、前記第２蓋本体は、前記第１蓋本体の前記収納部から離れた側に設けられ、
前記第２蓋本体の前記第１蓋本体に向いた側には挿着突起が設けられ、前記挿着突起は、前記第１蓋本体と前記外筒内側壁との間の隙間に挿着されて係合する請求項１７に記載の収納ケース。
【請求項２１】
前記収納ケースは、前記外筒内に設けられた主制御盤、及び前記主制御盤に電気的に接続された電気接触部をさらに有し、
前記電気接触部は、前記外筒内側壁に設けられ、且つ前記収納部内に位置し、しかも、前記電気接触部は、前記雲台に電気的に結合することで、前記主制御盤と前記雲台とが電気的接続を実現するようにし、これにより前記主制御盤により前記雲台に充電すること、前記雲台とデータ交換することのうちの少なくとも一つに用いることができる請求項１に記載の収納ケース。
【請求項２２】
前記電気接触部は、電気接点を有する請求項２１に記載の収納ケース。
【請求項２３】
前記外筒内側壁には本体部が設けられ、前記雲台を固定して接続するためのものであり、前記電気接触部は、前記本体部の接触面に設けられる請求項２１に記載の収納ケース。
【請求項２４】
前記本体部は、前記接触面の両側に位置する側辺を有し、各側辺には摺動フランジがそれぞれ設けられ、前記摺動フランジは雲台を滑り入れて前記本体部により前記雲台を固定し、且つ前記電気接触部を前記雲台に電気的に接続させるためのものである請求項２３に記載の収納ケース。
【請求項２５】
前記本体部の接触面には接続部がさらに設けられ、前記接続部は、前記雲台を取り外し可能に接続するためのものであり、
前記雲台が、前記摺動フランジに沿って前記本体部へ滑り入ると、前記接続部は、前記雲台に接続されることで、前記雲台の前記本体部に対する摺動を制限する請求項２４に記載の収納ケース。
【請求項２６】
前記電気接触部は、複数の電気接点を有し、複数の前記電気接点は、前記接続部の周囲に分布する請求項２５に記載の収納ケース。
【請求項２７】
前記接続部は、挿着溝である請求項２５に記載の収納ケース。
【請求項２８】
前記外筒内側壁には前記雲台形状に適合するための収納溝が設けられ、前記収納溝は、前記開口部に対向して設けられ、
前記電気接触部は、前記開口部と前記収納溝との間に位置する請求項２１に記載の収納ケース。
【請求項２９】
前記収納ケースは、電池をさらに有し、前記電池は、前記主制御盤に電気的に接続され、これにより前記雲台に充電すること、
前記収納ケースは、充電ポートをさらに有し、前記充電ポートは、前記外筒底面を貫通するように設けられて前記外筒から露出し、且つ前記主制御盤に電気的に接続され、これにより前記雲台に充電することのうちの少なくとも一つを特徴とする請求項２１に記載の収納ケース。
【請求項３０】
前記収納ケースは、メモリをさらに有し、前記メモリは、前記主制御盤に電気的に接続され、
前記主制御盤は、前記雲台からデータ情報を取得し、且つ前記メモリ内に記憶させ、前記データ情報は、前記雲台に搭載された撮影装置により撮影された画像を含むことができる請求項２１に記載の収納ケース。
【請求項３１】
前記外筒側壁にはスロットがさらに設けられ、前記スロットは、前記主制御盤に電気的に接続され、
前記メモリは、メモリカードであり、前記メモリカードは、前記スロットに挿着されて係合する請求項３０に記載の収納ケース。
【請求項３２】
前記スロットは、前記開口部に隣接して設けられる請求項３１に記載の収納ケース。
【請求項３３】
雲台を有する雲台アセンブリであって、
請求項１〜３２のいずれか一項に記載の収納ケースをさらに有し、前記収納ケースは、前記雲台を収納するためのものである雲台アセンブリ。
【請求項３４】
前記雲台は、手持ち雲台であり、把持部を有し、前記把持部には電気結合部が設けられ、
前記雲台が前記収納ケースの収納部内に収納されると、前記電気結合部は、前記収納ケースの電気接触部に電気的に接続されることで、前記収納ケースの主制御盤と前記雲台とが電気的接続を実現するようにし、これにより前記主制御盤により前記雲台に充電すること、前記雲台とデータ交換することのうちの少なくとも一つを行う請求項３３に記載の雲台アセンブリ。
【請求項３５】
前記電気結合部は、伸縮プローブを有する請求項３４に記載の雲台アセンブリ。
【請求項３６】
前記把持部には挿入溝がさらに設けられ、前記電気結合部は、前記挿入溝内に設けられ、
前記挿入溝は、前記収納ケースの摺動フランジに摺動係合することで、前記挿入溝を前記収納ケースの本体部に固定して接続させ、且つ前記電気結合部を前記電気接触部に電気的に接続させる請求項３４に記載の雲台アセンブリ。
【請求項３７】
前記把持部には接続端がさらに設けられ、前記接続端は、前記挿入溝内に設けられ、前記接続端は、前記収納ケースの接続部に係合することで、前記把持部の前記本体部に対する摺動を制限する請求項３６に記載の雲台アセンブリ。
【請求項３８】
前記電気結合部は、複数の伸縮プローブを有し、複数の前記伸縮プローブは、前記接続端の周囲に分布する請求項３７に記載の雲台アセンブリ。
【請求項３９】
前記接続端は、弾性接続部品を有し、前記弾性接続部品は、前記収納ケースの接続部に挿着されて係合する請求項３７に記載の雲台アセンブリ。
【請求項４０】
アダプタ部品をさらに有し、前記アダプタ部品は、前記電気結合部に電気的に接続でき、
前記アダプタ部品は、外部設備を接続することで、前記雲台と前記外部設備とが電気的接続を実現するようにするためのものである請求項３４に記載の雲台アセンブリ。
【請求項４１】
収納ケースであって、
外筒であって、頂面、底面、及び側壁を有し、前記側壁が開口部を有する外筒と、
前記外筒内に設けられた主制御盤と、
前記外筒内壁側に設けられ、前記主制御盤に電気的に接続された電気接触部と、を有し、
ここで、前記開口部を介して雲台を前記外筒内に入れるとき、前記電気接触部は、前記雲台に電気的に結合することで、前記主制御盤と前記雲台とが電気的接続を実現するようにし、これにより前記主制御盤が前記雲台に充電すること、前記雲台とデータ交換することのうちの少なくとも一つに用いることができる収納ケース。
【請求項４２】
前記電気接触部は、電気接点を有する請求項４１に記載の収納ケース。
【請求項４３】
前記外筒内側壁には本体部が設けられ、前記雲台を固定して接続するためのものであり、前記電気接触部は、前記本体部の接触面に設けられる請求項４１に記載の収納ケース。
【請求項４４】
前記本体部は、前記接触面の両側に位置する側辺を有し、各側辺には摺動フランジがそれぞれ設けられ、雲台を滑り入れて前記本体部により前記雲台を固定し、且つ前記電気接触部を前記雲台に電気的に接続させるためのものである請求項４３に記載の収納ケース。
【請求項４５】
前記本体部の接触面には接続部がさらに設けられ、前記接続部は、前記雲台を取り外し可能に接続するためのものであり、
前記雲台が、前記摺動フランジに沿って前記本体部へ滑り入ると、前記接続部は、前記雲台に接続されることで、前記雲台の前記本体部に対する摺動を制限する請求項４４に記載の収納ケース。
【請求項４６】
前記電気接触部は、複数の電気接点を有し、複数の前記電気接点は、前記接続部の周囲に分布する請求項４５に記載の収納ケース。
【請求項４７】
前記接続部は、挿着溝である請求項４５に記載の収納ケース。
【請求項４８】
前記外筒内側壁には前記雲台形状に適合するための収納溝が設けられ、前記収納溝は、前記開口部に対向して設けられ、
前記電気接触部は、前記開口部と前記収納溝との間に位置する請求項４１に記載の収納ケース。
【請求項４９】
前記収納ケースは、電池をさらに有し、前記電池は、前記主制御盤に電気的に接続され、これにより前記雲台に充電すること、
前記収納ケースは、充電ポートをさらに有し、前記充電ポートは、前記外筒底面を貫通するように設けられて前記外筒から露出し、且つ前記主制御盤に電気的に接続され、これにより前記雲台に充電することのうちの少なくとも一つを特徴とする請求項４１に記載の収納ケース。
【請求項５０】
前記収納ケースは、メモリをさらに有し、前記メモリは、前記主制御盤に電気的に接続され、
前記主制御盤は、前記雲台からデータ情報を取得し、且つ前記メモリ内に記憶させ、前記データ情報は、前記雲台に搭載された撮影装置により撮影された画像を含むことができる請求項４１に記載の収納ケース。
【請求項５１】
前記外筒側壁にはスロットがさらに設けられ、前記スロットは、前記主制御盤に電気的に接続され、
前記メモリは、メモリカードであり、前記メモリカードは、前記スロットに挿着されて係合する請求項５０に記載の収納ケース。
【請求項５２】
前記スロットは、前記開口部に隣接して設けられる請求項５１に記載の収納ケース。
【請求項５３】
雲台を有する雲台アセンブリであって、
前記雲台を収納するための、請求項１〜１２のいずれか一項に記載の収納ケースをさらに有し、
前記雲台には電気結合部が設けられ、前記雲台が前記外筒内に収納されると、前記電気結合部は、前記収納ケースの電気接触部に電気的に接続されることで、前記収納ケースの主制御盤と前記雲台とが電気的接続を実現するようにし、これにより前記主制御盤により前記雲台を充電すること、前記雲台とデータ交換することのうちの少なくとも一つを行う雲台アセンブリ。
【請求項５４】
前記雲台は、手持ち雲台であり、把持部を有し、前記電気結合部は、前記把持部に設けられる請求項５３に記載の雲台アセンブリ。
【請求項５５】
前記電気結合部は、伸縮プローブを有する請求項５３又は５４に記載の雲台アセンブリ。
【請求項５６】
前記把持部には挿入溝がさらに設けられ、前記電気結合部は、前記挿入溝内に設けられ、
前記挿入溝は、前記収納ケースの摺動フランジに摺動係合することで、前記挿入溝を前記収納ケースの本体部に固定して接続させ、且つ前記電気結合部を前記電気接触部に電気的に接続させる請求項５４に記載の雲台アセンブリ。
【請求項５７】
前記把持部には接続端がさらに設けられ、前記接続端は、前記挿入溝内に設けられ、前記接続端は、前記収納ケースの接続部に係合することで、前記把持部の前記本体部に対する摺動を制限する請求項５６に記載の雲台アセンブリ。
【請求項５８】
前記電気結合部は、複数の伸縮プローブを有し、複数の前記伸縮プローブは、前記接続端の周囲に分布する請求項５７に記載の雲台アセンブリ。
【請求項５９】
前記接続端は、弾性接続部品を有し、前記弾性接続部品は、前記収納ケースの接続部に挿着されて係合する請求項５７に記載の雲台アセンブリ。
【請求項６０】
アダプタ部品をさらに有し、前記アダプタ部品は、前記電気結合部に電気的に接続でき、
前記アダプタ部品は、外部設備を接続することで、前記雲台と前記外部設備とが電気的接続を実現するようにするためのものである請求項５３に記載の雲台アセンブリ。
【請求項６１】
雲台収納ケースであって、
外筒であって、頂面、底面、及び側壁を有し、前記側壁が開口部を有する外筒と、
前記外筒内部に設けられ、前記外筒に回転可能に接続されるホルダと、を有し、
前記ホルダと前記外筒との間の間隔は、収納部を構成し、前記収納部は、前記雲台を収納するためのものである雲台収納ケース。
【請求項６２】
前記収納部は、前記ホルダと前記外筒との相対的な回転に伴って前記開口部により開放された状態になり、又は、前記側壁により遮蔽されて閉鎖された状態になる請求項６１に記載の雲台収納ケース。
【発明の詳細な説明】
【技術分野】
【０００１】
本発明は、収納分野に関し、特に、収納ケース、及びそれを有する雲台アセンブリに関する。
【背景技術】
【０００２】
関連する技術において、雲台及びその部品は使用しない場合、通常は作業台に直接置かれ、又はユーザが手で持ち、雲台及びその部品は極めて失くしやすい。しかも雲台及びその部品を手で持つという方法は、ユーザを戸惑わせるので、雲台を収納しやすく、且つ携帯に便利な構造を設計することが急務となっている。
【発明の概要】
【課題を解決するための手段】
【０００３】
本発明は、収納ケース、及びそれを有する雲台アセンブリを提供する。
【０００４】
具体的には、本発明は、以下のような技術的解決手段により実現される。
【０００５】
本発明の第１の態様によれば、収納ケースを提供し、前記収納ケースは、
外筒であって、頂面、底面、及び側壁を有し、前記側壁が開口部を有する外筒と、
前記外筒内部に設けられ、前記外筒に回転可能に接続されるホルダと、を有し、
前記ホルダの表面と前記外筒側壁との間の間隔は、収納部を構成し、前記ホルダと前記外筒との相対的な回転に伴い、前記開口部と前記収納部とを第１相対位置と第２相対位置との間で切り替える。
【０００６】
本発明の第２の態様によれば、雲台を有する雲台アセンブリを提供し、前記雲台を収納するための収納ケースをさらに有し、前記収納ケースは、
外筒であって、頂面、底面、及び側壁を有し、前記側壁が開口部を有する外筒と、
前記外筒内部に設けられ、前記外筒に回転可能に接続されるホルダと、を有し、
前記ホルダの表面と前記外筒側壁との間の間隔は、収納部を構成し、前記ホルダと前記外筒との相対的な回転に伴い、前記開口部と前記収納部とを第１相対位置と第２相対位置との間で切り替える。
【０００７】
本発明の第３の態様によれば、収納ケースを提供し、前記収納ケースは、
外筒であって、頂面、底面、及び側壁を有し、前記側壁が開口部を有する外筒と、
前記外筒内に設けられた主制御盤と、
前記外筒内壁側に設けられ、前記主制御盤に電気的に接続された電気接触部と、を有し、
ここで、前記開口部を介して雲台を前記外筒内に入れるとき、前記電気接触部は、前記雲台に電気的に結合することで、前記主制御盤と前記雲台とが電気的接続を実現するようにし、これにより前記主制御盤により前記雲台に充電すること、前記雲台とデータ交換することのうちの少なくとも一つに用いることができる。
【０００８】
本発明の第４の態様によれば、雲台を有する雲台アセンブリを提供し、前記雲台を収納するための収納ケースをさらに有し、前記収納ケースは、
外筒であって、頂面、底面、及び側壁を有し、前記側壁が開口部を有する外筒と、
前記外筒内に設けられた主制御盤と、
前記外筒内壁側に設けられ、前記主制御盤に電気的に接続された電気接触部と、を有し、
前記雲台には電気結合部が設けられ、ここで、前記開口部を介して雲台を前記外筒内に入れるとき、前記電気接触部は、前記電気結合部に電気的に結合することで、前記主制御盤と前記雲台とが電気的接続を実現するようにし、これにより前記主制御盤により前記雲台に充電すること、前記雲台とデータ交換することのうちの一つを行うことができる。
【０００９】
本発明の第５の態様によれば、雲台収納ケースを提供し、前記雲台収納ケースは、
外筒であって、頂面、底面、及び側壁を有し、前記側壁が開口部を有する外筒と、
前記外筒内部に設けられ、前記外筒に回転可能に接続されるホルダと、を有し、
前記ホルダと前記外筒との間の間隔は、収納部を構成し、前記収納部は、前記雲台を収納するためのものである。
【００１０】
以上の本発明の実施例により提供される技術的解決手段から以下のことがわかる。本発明の実施例のホルダと外筒との回転可能な接続の設計により、開口部と収納部との間の相対位置をホルダと外筒との相対的な回転に伴い変化できるようにし、巧妙な構造設計により収納ケースの開閉を実現し、収納ケースは、操作が簡単で、構造が美しく、携帯しやすいという利点を有する。
【００１１】
本発明の実施例における技術的解決手段をさらに明確に説明するために、次に実施例の説明に使用されることが必要な図面を簡単に説明する。以下の説明における図面は、本発明のいくつかの実施例であるに過ぎず、当業者にとって、創造的な労働をしない前提で、これらの図面に基づいて、そのほかの図面をさらに得られることは自明である。
【図面の簡単な説明】
【００１２】
【図１】本発明の実施例における収納ケースの閉鎖状態での構造概略図である。
【図２】本発明の実施例における収納ケースの開放状態での構造概略図である。
【図３】本発明の実施例における収納ケースの構造概略図であり、ホルダと外筒との接続関係を示す。
【図４】図３における一部構造の局部拡大図である。
【図５】本発明の実施例における収納ケースの外筒頂面の構造概略図である。
【図６】本発明の実施例における収納ケースの他方向での構造概略図である。
【図７】図６における一部構造の局部拡大図である。
【図８】本発明の実施例における収納ケースの構造ブロック図である。
【図９】本発明の実施例における収納ケースの別の方向での構造概略図である。
【図１０】図９における一部構造の局部拡大図である。
【図１１】本発明の具体的実施例における収納ケースの構造ブロック図であり、収納ケースの雲台に対する充電方法を示す。
【図１２】本発明の他の具体的実施例における収納ケースの構造ブロック図であり、収納ケースの雲台に対する他の充電方法を示す。
【図１３】本発明の具体的実施例における収納ケースの構造ブロック図であり、収納ケースと雲台とがデータ交換を行う方法を示す。
【図１４】本発明の具体的実施例における収納ケースの閉鎖状態での構造概略図である。
【図１５】本発明の具体的実施例における収納ケースの開放状態での構造概略図である。
【図１６】本発明の具体的実施例において雲台を収納ケースに入れた状態の概略図である。
【図１７】図６における一部構造の局部拡大図である。
【図１８】本発明の実施例における雲台が収納ケース内に収納された状態の概略図である。
【図１９】本発明の実施例において雲台部品を収納ケース内に入れた状態の概略図である。
【図２０】本発明の実施例における雲台部品が収納ケース内に収納された状態の概略図である。
【発明を実施するための形態】
【００１３】
以下に本発明の実施例における図面を踏まえ、本発明の実施例における技術的解決手段に明確で、完全な説明を行う。説明される実施例は、本発明の一部の実施例であるに過ぎず、すべての実施例でないことは明らかである。本発明の実施例に基づいて、当業者により創造的な労働をしない前提で得られたすべてのそのほかの実施例はいずれも、本発明の保護する範囲に属する。
【００１４】
以下に図面を踏まえ、本発明の収納ケース、及びそれを有する雲台アセンブリを詳細に説明する。矛盾しない場合、以下の実施例及び実施形態における特徴は、互いに組み合わせることができる。
【００１５】
実施例１
図１及び図２を踏まえ、本発明の実施例１は、収納ケース２００を提供し、この収納ケース２００は、外筒１及びホルダ２を有することができ、本実施例の外筒１は、頂面１１、底面１２、及び側壁１３を有し、側壁１３は、開口部を有する。ホルダ２は、外筒１内部に設けられ、しかも、ホルダ２は、外筒１に回転可能に接続される。本実施例において、ホルダ２の表面と外筒１側壁１３との間の間隔は、収納部３を構成し、開口部と収納部３との間の相対位置は、ホルダ２と外筒１との相対的な回転に伴い変化でき、これにより収納部３の開閉を実現する。
【００１６】
具体的には、開口部と収納部３との間の相対位置は、第１相対位置、及び第２相対位置を有し、ここで、第１相対位置とは、ホルダ２が外筒１に対して回転することで、収納部３の一部又は全体が開口部により露出されるときの、開口部と収納部３との間の相対位置をいう。本実施例の第１相対位置とは、ホルダ２が外筒１に対して回転することで、収納部３全体が開口部により露出されるとき（図２に示す）の、開口部と収納部３との間の相対位置をいう。本実施例において、開口部と収納部３とが第１相対位置にあるとき、収納部３は、開口部により露出され、このとき被収納物を開口部から収納部３内へ入れることができる。また、第２相対位置とは、ホルダ２が外筒１に対して回転し、収納部３全体が側壁１３により遮蔽されるとき（図１に示す）の、開口部と収納部３との間の相対位置をいう。本実施例において、開口部と収納部３とが第２相対位置にあるとき、収納部３は、側壁１３により遮蔽され、収納機能を実現する。
【００１７】
本実施例の開口部と収納部３とは、ホルダ２と外筒１との相対的な回転に伴い、第１相対位置と第２相対位置との間で切り替わり、巧妙な設計により収納ケース２００の開閉を実現し、収納ケース２００は、操作が簡単で、構造が美しく、携帯しやすいという利点を有する。
【００１８】
本実施例において、ホルダ２は、筒状を呈することができ、シート状を呈することもでき、ホルダ２と外筒１とは、同一中軸線周りに回転できる。手動方法でホルダ２を回転させ、又は手動方法でホルダ２及び外筒１を回転させ、又は手動方法で外筒１を回転させることで、ホルダ２と外筒１とを相対的に回転させることができる。
【００１９】
ホルダ２と外筒１との回転可能な接続の実現構造は、複数種を有することができ、例えば、弾性部によりホルダ２と外筒１との回転可能な接続を実現し、ホルダ２と外筒１との間の歯止め噛合によりホルダ２と外筒１との回転可能な接続を実現し、又はホルダ２と外筒１との間に設けられたダンパによりホルダ２と外筒１との回転可能な接続を実現する。ホルダ２と外筒１との回転可能な接続の実施形態は、上述の複数種の方法に限定されるわけではなく、さらに、その他の方法を選択して、ホルダ２と外筒１との回転可能な接続を実現できることが理解できる。
【００２０】
以下の実施例は、弾性部によりホルダ２と外筒１との回転可能な接続を実現することにより、ホルダ２と外筒１との回転可能な接続の実現過程を詳細に説明する。図３及び図４を踏まえ、本実施例において、弾性部は、ホルダ２と外筒１との間に設けられたぜんまいばね４を有し、ぜんまいばね４は、第１端４１及び第２端４２を有し、第１端４１は、外筒１に係合し、第２端４２は、ホルダ２に係合し、ホルダ２と外筒１との回転可能な接続を実現する。
【００２１】
ぜんまいばね４は、外筒底面１２とホルダ２との間に設けることができ、外筒１頂面１１とホルダ２との間に設けることもできる。本実施例において、ぜんまいばね４は、外筒底面１２とホルダ２との間に設けられ、第１端４１は、外筒底面１２又は外筒内側壁に係合できる。選択可能には、図４及び図５を踏まえ、第１端４１は、折り曲げ部を構成し、外筒底面１２には突起１１１が設けられ、第１端４１の折り曲げ部は、外筒底面１２の突起１１１に係合する。具体的には、第１端４１の折り曲げ部は、外筒底面１２の突起１１１に引っ掛かるように設けられ、ぜんまいばね４と外筒底面１２との安定した接続を実現する。
【００２２】
また、第２端４２は、折り曲げ部を構成し、ホルダ２側面には固定部２１が設けられ、第２端４２の折り曲げ部は、ホルダ２側面の固定部２１に係合する。本実施例において、第２端４２の折り曲げ部は、ホルダ２側面の固定部２１に引っ掛かるように設けられ、ぜんまいばね４とホルダ２との安定した接続を実現する。
【００２３】
本実施例において、ぜんまいばね４は、ホルダ２を覆うように設けられ、しかもぜんまいばね４は、平衡位置を有し、ぜんまいばね４が平衡位置にあるとき、ぜんまいばね４は弛緩状態であり、ぜんまいばね４は、ホルダ２、外筒１のうちの少なくとも一つへ弾性力を加えず、このため、ぜんまいばね４が平衡位置にあるとき、ホルダ２、外筒１のうちの少なくとも一つへ外力が加えられない場合、ホルダ２と外筒１とは、相対的に回転しない。ホルダ２、外筒１のうちの少なくとも一つへ外力が加えられるとき、外力がぜんまいばね４の弾性力を克服してぜんまいばね４が引っ張られるようになると、ホルダ２と外筒１とは、相対的に回転する。本実施例において、収納部３と開口部とが第１相対位置にあるとき、ぜんまいばね４は、平衡位置にあり、収納ケース２００は、開放状態に保たれる。収納部３と開口部とが第２相対位置にあるとき、ぜんまいばね４は、引っ張られる。
【００２４】
ぜんまいばね４が引っ張られた後、弾性力の作用により、ぜんまいばね４は、平衡状態に自動で回復するので、収納部３と開口部とが第２相対位置に終始位置するようにするために、ホルダ２を外筒１にさらに固定する必要があり、収納の機能を実現する。具体的には、本実施例の収納ケース２００は、ホルダ２を外筒１にロックするための回転阻止部５をさらに有する。
【００２５】
本実施例において、図６及び図７を踏まえ、回転阻止部５は、外筒底面１２に接続され、ホルダ２は、ロックベース２２を有し、ロックベース２２は、外筒底面１２を貫通するように設けられて外筒１から露出する。本実施例の回転阻止部５は、ロックベース２２に対して移動してロック状態とロック解除状態との間で切り替わることができ、ここで、ロック状態では、回転阻止部５は、ロックベース２２に係合し、ロック解除状態では、回転阻止部５は、ロックベース２２と分離する。具体的には、回転阻止部５がロックベース２２に対してロック解除状態まで移動すると、回転阻止部５は、ホルダ２に対して位置を限定せず、ホルダ２は、外筒１に対して回転することで、開口部と収納部３とを第１相対位置と第２相対位置との間で切り替えることができる。開口部と収納部３とが第２相対位置にあると、回転阻止部５がロックベース２２に対してロック状態まで移動することに伴い、回転阻止部５は、ホルダ２に対して位置を限定し、ホルダ２の外筒１に対する回転を制限し、これによりホルダ２を外筒１にロックして、開口部と収納部３とが第２相対位置に保たれるようにする。
【００２６】
回転阻止部５とロックベース２２とは、磁力吸着又は係着などの方法に基づいて係合することができる。本実施例において、図７を参照し、回転阻止部５には係着突起５１が設けられ、ロックベース２２には係着溝が設けられ、回転阻止部５がロックベース２２に対してロック解除状態まで移動すると、係着突起５１は、係着溝と分離し、回転阻止部５がロックベース２２に対してロック状態まで移動すると、係着突起５１は、係着溝に係着して係合する。具体的には、回転阻止部５を操作し、回転阻止部５がロックベース２２に対して係着突起５１と係着溝とが分離するまで離れると、回転阻止部５は、ロック解除状態になり、回転阻止部５を操作し、回転阻止部５をロックベース２２に対して近づけ、係着突起５１を係着溝に係着して係合させると、回転阻止部５は、ロック状態になる。本実施例において、開口部と収納部３とが第２相対位置にあると、係着突起５１は、係着溝に位置合わせされ、回転阻止部５を操作すると、係着突起５１は、係着溝に直接挿入されて係着溝に係合できる。開口部と収納部３とが第１相対位置にあると、係着突起５１は、係着溝とずれる。
【００２７】
回転阻止部５を操作しやすくするために、本実施例の回転阻止部５には操作端５２が設けられ、前記操作端５２を操作し、回転阻止部５がロックベース２２に対して移動してロック状態とロック解除状態との間で切り替わるようにできる。選択可能には、押圧、引っ張り、回転、突き上げなどの方法により操作端５２を操作し、回転阻止部５がロックベース２２に対して近づき、又は離れるようにし、これにより回転阻止部５がロック状態とロック解除状態との間で切り替わるようにする。以下の実施例では、操作端５２を押圧することを例としてさらに説明する。
【００２８】
いくつかの例において、回転阻止部５がロック状態からロック解除状態へ、及びロック解除状態からロック状態へと切り替わるこの二つのステップはいずれも、操作端５２を押圧することにより実現される。具体的には、外筒１の外円周方向へ操作端５２を押圧すると、回転阻止部５は、ロックベース２２に対して離れてロック状態からロック解除状態へ切り替わり、外筒１の中軸線方向へ操作端５２を押圧すると、回転阻止部５は、ロックベース２２に対して近づいてロック解除状態からロック状態へ切り替わる。
【００２９】
他のいくつかの実施例において、回転阻止部５がロック状態からロック解除状態へ切り替わることは、操作端５２を押圧することにより実現され、回転阻止部５がロック解除状態からロック状態へ切り替わることは自動で実現される。回転阻止部５がロック解除状態からロック状態へ自動で切り替わることを実現するために、選択可能には、回転阻止部５は、弾性回復機能を有し、操作端５２を押圧して回転阻止部５がロックベース２２に対して離れてロック状態からロック解除状態へ切り替わった後、操作端５２を押圧しないと、回転阻止部５は、自身の弾性力の作用によりロックベース２２に対して近づいてロック解除状態からロック状態へ自動で切り替わることができる。必要に応じて、回転阻止部５の製造材料に弾性材料を選択してもよく、これにより回転阻止部５が外力の作用により移動できるようにし、且つ外力の作用がないときに自身で回復できるようにする。選択可能には、図７を参照し、回転阻止部５には弾性部品５３がさらに設けられ、操作端５２を押圧して回転阻止部５をロックベース２２に対して離れさせてロック状態からロック解除状態へ切り替えた後、操作端５２を押圧しないと、回転阻止部５は、弾性部品５３の弾性力の作用によりロックベース２２に対して近づいてロック解除状態からロック状態へ自動で切り替わることができる。具体的には、本実施例の弾性部品５３は、外筒底面１２に固定して接続され、操作端５２が被操作状態にあると、回転阻止部５は、ロックベース２２に対して離れてロック解除状態へ切り替わり、操作端５２が被操作状態から弛緩状態に切り替わると、回転阻止部５は、弾性部品５３の弾性力の作用によりロックベース２２に対して近づいてロック状態へ切り替わる。弾性部品５３は、ばね又はその他の弾性材料から製造された弾性部品５３であってよい。
【００３０】
回転阻止部５は、一つ又は複数有してもよく、回転阻止部５が複数あるとき、ロックベース２２上の各回転阻止部５に対応する位置にはこの回転阻止部５をロックするための構造が設けられ、上述の実施例のように、回転阻止部５とロックベース２２とは、係着突起５１と係着溝とにより係合し、各回転阻止部５の係着突起５１に対応するロックベース２２の位置には係着溝が設けられる。
【００３１】
さらに、図６及び図７を踏まえ、本実施例の外筒底面１２には収納溝が設けられ、回転阻止部５は、収納溝内に摺動して接続され、回転阻止部５は、収納溝内においてロックベース２２に対して移動してロック状態とロック解除状態との間で切り替わり、本実施例は、収納溝により回転阻止部５に対する位置限定を実現する。
【００３２】
回転阻止部５の構造は、上述の実施例における構造の実施形態に限定されるわけではなく、ホルダ２と外筒１との間の磁石、又はホルダ２と外筒１との間のフックなどにより代替してもよいことが理解できる。例えば、ホルダ２には第１磁石が設けられ、第１磁石に対応する外筒１の位置には第２磁石が設けられ、ホルダ２と外筒１との相対的な回転に伴い、第１磁石は、互いに吸着されてホルダ２を外筒１にロックできる。
【００３３】
本実施例のロックベース２２は、円柱状を呈し、しかも、ロックベース２２には充電ポート２３が設けられ、この充電ポート２３により収納部３内に収納された収納物に充電できる。本実施例は、充電ポート２３のタイプを具体的に限定せず、充電ポート２３は、ＵＳＢなどの通常の電気ポートであってよい。
【００３４】
本実施例において、外筒底面１２は、第１蓋本体を有し、ここで、突起１１１は、この第１蓋本体に設けられ、ぜんまいばね４は、ロックベース２２を覆うように設けられ、且つ第１蓋本体とホルダ２により囲まれて形成される空間内に位置する。図５を参照し、この第１蓋本体は、環状を呈し、且つ貫通孔を有し、ロックベース２２は、貫通孔を貫通して外筒１から露出する。本実施例の第１蓋本体は、側壁１３（外筒内側壁を含む）に固定して接続され、第１蓋本体と側壁１３との間の固定接続方法は、既存の任意の固定接続方法を採用できる。本実施例は、簡単で、実現しやすい固定接続方法を提供して第１蓋本体と側壁１３とを接続し、具体的には、図５及び図７を踏まえ、第１蓋本体の辺縁には摺動突起１１２が設けられ、摺動突起１１２には固定溝が設けられ、固定溝は、第１蓋本体の周方向に沿って開設される。外筒内側壁にはガイド溝１４及び固定突起１５が設けられ、ガイド溝１４及び固定突起１５は、外筒１の周方向に沿って隣接して設けられる。ここで、摺動突起１１２は、ガイド溝１４に沿って固定突起１５へ摺動することで、固定突起１５を固定溝へ滑り入れ、固定溝と係合させ、第１蓋本体と側壁１３とを固定して接続させることができる。摺動突起１１２をガイド溝１４に位置合わせした後、第１蓋本体又は側壁１３を回転し、摺動突起１１２がガイド溝１４に沿って固定突起１５を滑り入れるようにし、二つの操作を使用するだけで、第１蓋本体と側壁１３との固定接続を実現し、操作過程が簡単である。
【００３５】
ここで、摺動突起１１２は、複数有してもよく、複数の摺動突起１１２は、第１蓋本体の辺縁に均等に分布する。選択可能には、外筒内側壁は隣接して設けられた１組のガイド溝１４及び固定突起１５のみ有し、複数の摺動突起１１２におけるいずれかを、ガイド溝１４及び固定突起１５と、これにより第１蓋本体を側壁１３に固定でき、操作しやすい。選択可能には、第１蓋本体と側壁１３との間の固定接続の安定性を高めるために、ガイド溝１４及び固定突起１５の数は、摺動突起１１２の数と同じであり、各摺動突起１１２は、対応する組の、隣接して設けられたガイド溝１４及び固定突起１５に係合する。
【００３６】
上述の実施例において、１組のガイド溝１４及び固定突起１５は、一つのガイド溝１４及び一つの固定突起１５を有してもよく、二つのガイド溝１４及び一つの固定突起１５を有してもよく、二つのガイド溝１４は、一つの固定突起１５の両側に設けられ、摺動突起１１２は、二つのガイド溝１４におけるいずれかのガイド溝１４から固定突起１５を滑り入れることができる。
【００３７】
いくつかの実施例において、固定溝の両端は、摺動突起１１２を貫通する。１組のガイド溝１４及び固定突起１５が一つのガイド溝１４及び一つの固定突起１５を有してもよいとき、固定溝の二つの貫通端における一つは、ガイド溝１４に隣接し、摺動突起１１２は、ガイド溝１４に隣接する貫通端から固定溝へ滑り入り、固定溝に係合する。１組のガイド溝１４及び固定突起１５が二つのガイド溝１４及び一つの固定突起１５を有し、二つのガイド溝１４は、一つの固定突起１５の両側に設けられるとき、固定溝の二つの貫通端は、対応側のガイド溝１４にそれぞれ隣接し、摺動突起１１２は、任意の貫通端からガイド溝１４へ滑り入ることができる。他のいくつかの実施例において、固定溝の一端は、摺動突起１１２を貫通し、且つ固定溝の貫通端は、ガイド溝１４に隣接し、摺動突起１１２は、この貫通端から固定溝へ滑り入り、固定溝に係合できる。
【００３８】
選択可能には、固定溝のサイズは、ガイド溝１４に近接した一端からガイド溝１４から離れる方向へ徐々に小さくなり、固定溝のガイド溝１４に近接した一端のサイズは大きく設計されることで、摺動突起１１２がガイド溝１４から固定溝へ滑り入りやすくなり、しかも、摺動突起１１２が徐々に固定溝へ滑り入ることに伴い、固定溝のサイズは徐々に小さくなっているので、摺動突起１１２は最終的に固定溝に係着して接続されて第１蓋本体と側壁１３との固定接続を実現する。
【００３９】
また、摺動突起１１２の第１蓋本体の周方向に沿った長さと固定溝の側壁１３の周方向に沿った長さは、同じであってよく、同じでなくてもよく、本実施例は、これを具体的に限定しない。
【００４０】
さらに、外筒底面１２は、第２蓋本体をさらに有し、第２蓋本体は、第１蓋本体の収納部３から離れた側に設けられる。本実施例の第２蓋本体の第１蓋本体に向いた側には挿着突起が設けられ、挿着突起は、第１蓋本体と外筒内側壁との間の隙間に挿着されて係合し、製品の美観を高める。
【００４１】
本実施例の収納ケース２００は、雲台１００、又は雲台１００及び雲台部品（図１９及び図２０における端末アダプタ部品３００、フィルタ４００、メモリカード５００）などを収納することに用いることができ、具体的な実施例において、収納ケース２００は、雲台１００を収納するとともに、二つの端末アダプタ３００、４つのフィルタ４００、及び二つのメモリカード５００を収納できる。収納ケース２００により収納される雲台１００は、手持ち雲台であってよく、非手持ち雲台であってもよい。本実施例の収納ケース２００は、雲台１００及び雲台部品以外のその他の被収納物を収納することに用いられてもよいことが理解でき、ここでは一つ一つ列挙しない。
【００４２】
図８から図１０を踏まえ、本実施例の収納ケース２００は、主制御盤６、及び電気接触部７をさらに有する。ここで、主制御盤６は、外筒１内に設けられ、例えば、主制御盤６は、側壁１３とホルダ２との間に設けられることができる。電気接触部７は、主制御盤６に電気的に接続され、選択可能には、電気接触部７と主制御盤６とは、導線接続により電気的接続を実現し、選択可能には、電気接触部７と主制御盤６とは、挿着されて電気的接続を実現する。さらに、電気接触部７は、外筒内側壁に設けられ、しかも電気接触部７は、収納部３内に位置する。具体的な実施形態において、外筒内側壁には、雲台１００を固定するための収納溝が設けられ、この収納溝は、雲台１００の形状に適合し、本実施例の収納溝は、開口部に対向して設けられ、電気接触部７は、開口部と収納溝との間に位置する。本実施例の電気接触部７は、ホルダ表面に設けることもでき、しかも電気接触部７は、収納部３内に位置することを理解できる。
【００４３】
本実施例の電気接触部７は、雲台１００に電気的に結合することで、主制御盤６と雲台１００とが電気的接続を実現することに用いることができる。主制御盤６が雲台１００に電気的に接続された後、主制御盤６により雲台１００に電気供給／充電すること、主制御盤６により雲台１００とデータ交換することのうちの少なくとも一つを行うことができる。本実施例は、外筒内側壁に電気接触部７を設けることにより、雲台１００を収納ケース２００内に収納した後、雲台１００は、電気接触部７に電気的に結合して収納ケース２００と電気的接続を実現し、これにより収納ケース２００により雲台１００に充電すること、雲台１００とデータ交換することのうちの少なくとも一つを行うことができ、収納ケース２００は収納とともに、充電、データ交換のうちの少なくとも一つの機能をさらに有する。
【００４４】
本実施例において、電気接触部７は、雲台１００に接触して電気的係合を実現し、簡単な構造により収納ケース２００と雲台１００との間の通信接続を実現でき、接続が便利で迅速であり、しかも外に設けられた導線が絡むという面倒がなく、製品の美観性が高い。
【００４５】
具体的には、雲台１００には電気結合部（図１７に示す）が設けられ、雲台１００が収納ケース２００の収納部３内に収納されると、電気結合部は、電気接触部７に接触して電気的接続を実現することで、主制御盤６を雲台１００に電気的に接続させ、これにより主制御盤６により雲台１００に充電すること、主制御盤６と雲台１００との間のデータ交換を実現することのうちの少なくとも一つを行うことができる。本実施例において、電気接触部７及び電気結合部はそれぞれ同一型番の電気コネクタのオスとメスであり、電気結合部と電気接触部７とが適合しやすい。電気接触部７及び電気結合部は適合せずに、アダプタによりカップリングして電気的接続を実現してもよいことを理解できる。選択可能には、雲台１００は、手持ち雲台であり、把持部を有し、電気結合部は把持部に設けられる。
【００４６】
電気接触部７のタイプは、必要に応じて選択でき、例えば、電気接触部７は、伸縮プローブに選択されてもよく、電気インターフェースに選択されてもよく、さらに電気接点に選択されてもよく、電気結合部は、電気接触部７に適合する。実施例において、電気接触部７は、複数の電気接点を有する。選択可能には、図１０を参照し、電機接点は、８つ有してもよく、そのうち４つの電気接点は、配列方法で並べられて第１電気接触部７を形成し、他の４つの電気接点は、配列方法で並べられて第２電気接触部７を形成する。その他の実施例において、電気接点の数、配列方法及び機能などはいずれも必要に応じて設定できることが理解できる。
【００４７】
選択可能には、複数の電気接点の機能はいずれも同じであり、例えば、複数の電気接点はいずれもデータ伝送に用いられ、又はいずれも導電に用いられる。選択可能には、複数の電気接点における一部の電気接点の機能は、他の一部の電気接点の機能と異なり、上述の実施例において、第１電気接触部７は、データ伝送のためであり、収納ケース２００と雲台１００との間のデータ交換を実現し、第２電気接触部７は、導電のためであり、収納ケース２００の雲台１００に対する電気供給／充電を実現する。
【００４８】
本実施例は、導電可能な金属材料を選択して電気接点を製造でき、例えば、銅である。
【００４９】
図１０を参照し、外筒内側壁には本体部８が設けられ、この本体部８は、雲台１００を固定して接続するためのものである。本体部８は、接触面を有し、電気接触部７は、この接触面に設けられる。雲台１００を収納部３内に入れると、雲台１００を本体部８に機械的に係合し、雲台１００が本体部８に機械的に係合してポジショニングされた後、電気接触部７は、雲台１００の対応する位置に接触して雲台１００と電気的接続を実現でき、機械的係合の過程は、時間と労力を節約し、収納ケース２００と雲台１００との間の迅速な接続を実現する。
【００５０】
本体部８と雲台１００は、異なる方法に基づいて固定接続を実現し、例えば、凹凸係合、係着、ねじ接続などである。一実施形態において、雲台１００は、挿入溝（図１７に示す）を有し、電気結合部は、挿入溝内に設けられる。本体部８が挿入溝に挿着されてポジショニングされた後、電気接触部７は、電気結合部に接触して電気的に接続される。選択可能には、雲台１００は、手持ち雲台であり、挿入溝は、把持部に設けられる。
【００５１】
さらに図１０を参照し、本体部８は、接触面の両側に位置する側辺をさらに有し、本実施例において、各側辺には摺動フランジ８１がそれぞれ設けられ、雲台１００を滑り入れて本体部８により雲台１００を固定し、且つ電気接触部７を雲台１００に電気的に接続させるためのものであり、本実施例は、摺動フランジ８１により雲台１００を初歩的に位置制限する。選択可能には、挿入溝は、摺動フランジ８１に摺動係合することで、挿入溝を本体部８に固定して接続させ、且つ電気結合部を電気接触部７に接触させて電気的に接続させる。本実施例において、雲台１００は、開口部から収納部３へ入り、挿入溝（図１７に示す）は、摺動フランジ８１の開口部に近接した一端から滑り入り、且つ摺動フランジ８１の開口部から離れた一端へ摺動し、挿入溝が本体部８に係合してポジショニングされると、電気結合部は、電気接続部８２に接触する。
【００５２】
さらに、本体部８の接触面には接続部８２がさらに設けられ、接続部８２は、雲台１００を取り外し可能に接続するためのものである。雲台１００が摺動フランジ８１に沿って本体部８へ滑り入ると、接続部８２は、雲台１００に接続されることで、雲台１００の本体部８に対する摺動を制限する。本実施例は、摺動フランジ８１により雲台１００を初歩的に位置制限し、接続部８２により雲台１００をさらに位置制限し、雲台１００を本体部８にしっかりと装着して設け、雲台１００と電気接触部７との接触をさらに安定させ、雲台１００と電気接触部７との電気的接続をさらに安定させる。ここで、摺動フランジ８１の雲台１００に対する位置制限方向は、接続部８２の雲台１００に対する位置制限方向に交わる。具体的には、雲台１００の接続部８２に対応する位置には接続端（図１７に示す）が設けられ、接続端は、接続部８２に係合し、雲台１００をさらに位置制限し、これにより雲台１００の摺動フランジ８１に対する摺動を制限し、雲台１００と本体部８との固定接続をさらにしっかりさせる。選択可能には、雲台１００は、手持ち雲台であり、接続端は、把持部の挿入溝内に設けられる。
【００５３】
ここで、接続部８２は、挿着溝であってよく、その他のタイプであってよい。接続端は、接続部８２に適合し、接続端は、弾性接続部品であってよく、係着部品であってもよく、さらにその他タイプの接続部品であてもよい。本実施例において、接続端は、弾性接続部品であり、弾性接続部品は、挿着溝に挿着されて係合する。
【００５４】
さらに、本実施例の電気接触部７は、複数の電気接点を有し、複数の電気接点は、接続部８２の周囲に分布し、このような配列方法により複数の電気接点と雲台１００との間の電気的接続をさらに安定させることができる。選択可能には、電気接点の機能に基づいて、複数の電気接触部７を接続部８２の周囲に領域を分けて配列でき、上述の実施例の機能の異なる第１電気接触部７及び第２電気接触部７を例とすると、第１電気接触部７及び第２電気接触部７は、接続部８２の両側に設けられる。
【００５５】
また、収納ケース２００は、異なる方法で雲台１００に電気供給／充電でき、例えば、そのうちの一つの実施例において、図１１を参照し、収納ケース２００は、電池をさらに有し、選択可能には、電池は、ホルダ２と側壁１３との間に収納される。本実施例の電池は、主制御盤６に電気的に接続され、これにより収納部３内に収納された雲台１００に電気供給／充電する。電池は、導線により主制御盤６に接続されて電気的接続を実現でき、又は電池は、主制御盤６の電気接続端に直接接触して主制御盤６と電気的接続を実現できる。本実施例の電池は、蓄電池などの充電可能な電池に選択でき、電池の繰り返し利用を実現する。本実施例の電池は、蓄電池であり、蓄電池の容量は大きく、体積は小さく、収納ケース２００の小型化設計に便利である。
【００５６】
他の実施例において、収納ケース２００は、充電ポート２３をさらに有し（この充電ポート２３は、ロックベース２２に設けられ、上述実施例の説明を参照できる）、充電ポート２３は、外筒底面１２を貫通するように設けられて外筒１から露出し、しかも充電ポート２３は、主制御盤６に電気的に接続され、本実施例の収納ケース２００は、充電ポート２３により外部電源（例えば、商業電源）を接続して収納部３内に収納された雲台１００に充電できる。
【００５７】
別のいくつかの実施例において、収納ケース２００は、電池及び充電ポート２３を同時に有し、主制御盤６は、電池及び充電ポート２３にそれぞれ接続される。雲台１００は、収納部３内に収納され、しかも雲台１００の電力量が所定の電力量しきい値（必要に応じて設定でき、例えば、２０％である）以下であるとき、充電ポート２３が外部電源に接続されていなければ、電池により雲台１００に電気供給／充電し、充電ポート２３が外部電源に接続されていれば、外部電源により雲台１００に電気供給／充電する。雲台１００が収納部３内に収納されておらず、又は雲台１００が収納部３内に収納されているが、雲台１００の電力量が所定の電力量しきい値よりも大きい場合、充電ポート２３により外部電源に接続し、電池に充電し、電池の繰り返し利用を実現する。
【００５８】
雲台１００が収納部３内に収納されると、主制御盤６は、雲台１００とデータ交換でき、例えば、主制御盤６は、雲台１００からデータ情報を取得でき、データ情報は、雲台１００に搭載された撮影装置により撮影された画像、雲台１００のパラメータ、雲台１００に搭載された撮影装置のパラメータなどを含むことができる。主制御盤６は、データ情報を雲台１００へ伝送することもでき、例えば、主制御盤６は、雲台１００のファームウェアを雲台１００へ伝送し、これにより雲台１００にファームウェアのアップデートを行うことができる。
【００５９】
さらに、本実施例の収納ケース２００は、メモリをさらに有し、このメモリは、主制御盤６に電気的に接続される。いくつかの実施例において、雲台１００が収納部３内に収納されると、主制御盤６は、雲台１００からデータ情報を取得し、且つメモリ内に記憶させる。他のいくつかの実施例において、メモリには雲台１００のファームウェアなどのデータ情報が記憶され、雲台１００が収納部３内に収納されると、主制御盤６は、メモリから雲台１００のファームウェアなどのデータ情報を取得し、且つ雲台１００へ送信し、雲台１００にファームウェアのアップデートの機能を実現する。
【００６０】
本実施例のメモリは、内蔵型であてよく、外部挿入型であってもよい。具体的な実施例において、図９及び図１３を踏まえ、外筒１側壁１３にはスロット９がさらに設けられ、スロット９は、主制御盤６に電気的に接続され、本実施例のメモリは、メモリカード５００（例えば、ＳＤカード又はその他のタイプのメモリカード５００）であり、メモリカード５００は、スロット９に挿着されて係合する。選択可能には、スロット９は、開口部に隣接して設けられ、雲台１００の収納を妨げず、且つユーザが操作しやすい。当然のことながら、スロット９は、外筒１側壁１３のその他の位置に位置してもよい。
【００６１】
本実施例において、収納ケース２００が閉鎖状態（図１及び図１４に示す）にあると、開口部と収納部３とは第２相対位置にあり、回転阻止部５は、ロックベース２２に固定される。収納ケース２００を開けて雲台１００を入れる必要があるとき、まず、回転阻止部５を操作することで回転阻止部５とロックベース２２とを分離させる。回転阻止部５とロックベース２２とが分離すると、ぜんまいばね４は、自身の弾性力の作用により平衡位置に回復し、ホルダ２が外筒１に対して開口部と収納部３とが第１相対位置にあるまで回転するように駆動し、収納ケース２００は、開放状態（図１及び図１５に示す）になり、収納部３は、開口部により露出される。続いて、雲台１００を収納部３（図１６に示す）へ入れ、具体的には、雲台１００の挿入溝を摺動フランジ８１に沿って本体部８へ滑り入れ、挿入溝が本体部８に係合してポジショニングされると、挿入溝内の接続端は、本体部８の接続部８２に固定して接続され、しかも、挿入溝内の電気結合部は、本体部８の電気接触部７に接触し、収納ケース２００は、雲台１００に充電でき、又は雲台１００とデータ交換できる。
【００６２】
雲台１００を収納ケース２００に入れた後（図１８に示す）、収納ケース２００を閉じ、雲台１００の収納を実現し、具体的には、ホルダ２の外筒１に対する回転を手動で制御することで、開口部と収納部３とを第１相対位置から第２相対位置へ切り替える。開口部と収納部３とが第２相対位置にあるとき、回転阻止部５を操作することで、回転阻止部５とロックベース２２とを係合させてホルダ２を外筒１にロックし、開口部と収納部３とが第２相対位置に保たれ、開口部が側壁１３により遮蔽され、雲台１００は、密封された収納部３内へ収納され、失くしにくい。
【００６３】
いくつかの実施例において、収納ケース２００を開けた後、まず、雲台部品を収納ケース２００（図１９に示す）内へ入れ、雲台部品を置いてポジショニング（図２０に示す）した後、雲台１００を収納部３（図１５に示す）へ入れる必要がある。
【００６４】
閉鎖状態にある収納ケース２００（図１及び図１４に示す）から雲台１００を取り出すとき、まず、回転阻止部５を操作することで、回転阻止部５とロックベース２２とを分離させる。回転阻止部５とロックベース２２とが分離すると、ぜんまいばね４は、自身の弾性力の作用により平衡位置に回復し、ホルダ２が外筒１に対して開口部と収納部３とが第１相対位置にあるまで回転するように駆動し、収納ケース２００が開放状態（図１及び図１５に示す）になり、収納部３は、開口部により露出され、このとき開口部を介して雲台１００を収納部３内から取り出すことができる。
【００６５】
実施例２
図１６及び図１８を踏まえ、本発明の実施例２は、雲台アセンブリを提供し、この雲台アセンブリは、雲台１００、及び雲台１００を収納するための収納ケース２００を有することができる。ここで、収納ケース２００の構造は、図１から図１３に示すとおりであり、具体的には、上述実施例１の説明を参照でき、ここでは説明しない。
【００６６】
本発明の実施例のホルダ２と外筒１との回転可能な接続の設計により、開口部と収納部３との間の相対位置をホルダ２と外筒１との相対的な回転に伴い変化できるようにし、巧妙な構造設計により収納ケース２００の開閉を実現し、収納ケース２００は、操作が簡単で、構造が美しく、携帯しやすいという利点を有する。収納ケース２００により雲台１００を収納し、雲台１００を失くしにくく、しかも携帯に便利である。
【００６７】
図１６及び図１７を踏まえ、本実施例の雲台１００には電気結合部が設けられ、雲台１００が収納ケース２００の収納部３内に収納されると、電気結合部は、電気接触部７に接触して電気的接続を実現することで、主制御盤６を雲台１００に電気的に接続させ、これにより主制御盤６により雲台１００に充電すること、主制御盤６と雲台１００との間のデータ交換を実現することのうちの少なくとも一つを行うことができる。
【００６８】
本実施例において、電気接触部７及び電気結合部はそれぞれ同一型番の電気コネクタのオスとメスであり、電気結合部と電気接触部７とが適合しやすい。電気接触部７及び電気結合部は適合せずに、アダプタによりカップリングして電気的接続を実現してもよい。選択可能には、雲台１００は、手持ち雲台であり、把持部を有し、電気結合部は把持部に設けられる。
【００６９】
電気結合部は、電気接触部７に適合し、例えば、電気結合部は、伸縮プローブに選択されてもよく、電気インターフェースに選択されてもよく、さらに電気接点に選択されてもよい。実施例において、電気結合部は、複数の伸縮プローブを有する。選択可能には、図１７を参照し、伸縮プローブは、４つ有してもよく、そのうち２つの電気接点は、配列方法で並べられて第１電気結合部を形成し、他の２つの伸縮プローブは、配列方法で並べられ第２電気結合部を形成する。その他の実施例において、伸縮プローブの数、配列方法及び機能などはいずれも必要に応じて設定できることが理解できる。
【００７０】
選択可能には、複数の伸縮プローブの機能はいずれも同じであり、例えば、複数の伸縮プローブはいずれもデータ伝送に用いられ、又はいずれも導電に用いられる。選択可能には、複数の伸縮プローブにおける一部の電気接点の機能は、他の一部の伸縮プローブの機能と異なり、上述の実施例において、第１電気結合部は、データ伝送のためであり、収納ケース２００と雲台１００との間のデータ交換を実現し、第２電気結合部は、導電のためであり、収納ケース２００の雲台１００に対する電気供給／充電を実現する。
【００７１】
本実施例は、導電可能な金属材料を選択して伸縮プローブを製造でき、例えば、銅である。
【００７２】
本実施例の雲台１００は、手持ち雲台であってよく、非手持ち雲台であってもよい。手持ち雲台を例として、本実施例の手持ち雲台は、把持部を有し、電気結合部は、把持部に設けられる。雲台１００が収納ケース２００の収納部３内に収納されると、電気結合部は、電気接触部７に電気的に接続されることで、収納ケース２００の主制御盤６と雲台１００とが電気的接続を実現するようにし、これにより主制御盤６により雲台１００に充電すること、主制御盤６と雲台１００とのデータ交換を実現することのうちの少なくとも一つを行う。
【００７３】
本体部８と雲台１００は、異なる方法に基づいて固定接続を実現し、例えば、凹凸係合、係着、ねじ接続などである。実施形態において、図１７を参照し、雲台１００は、挿入溝を有し、電気結合部は、挿入溝内に設けられる。本体部８が挿入溝に挿着されてポジショニングされと、電気接触部７は、電気結合部に接触して電気的に接続される。
【００７４】
選択可能には、挿入溝は、摺動フランジ８１に摺動係合し、挿入溝を本体部８に固定して接続させ、且つ電気結合を電気接触部７に接触させて電気的に接続させ、本実施例は、摺動フランジ８１により雲台１００を初歩的に位置制限し、電気結合部と電気接触部７との安定した接触を確保する。本実施例において、雲台１００は、開口部から収納部３へ入り、挿入溝は、摺動フランジ８１の開口部に近接した一端から滑り入り、且つ摺動フランジ８１の開口部から離れた一端へ摺動し、挿入溝が本体部８に係合してポジショニングされると、電気結合部は、電気接続部８２に接触する。
【００７５】
図１７を参照し、把持部には接続端がさらに設けられ、接続端は、挿入溝内に設けられ、接続端は、接続部８２に係合し、雲台１００をさらに位置制限し、これにより雲台１００の摺動フランジ８１に対する摺動を制限し、雲台１００と本体部８との固定接続をさらにしっかりさせる。
【００７６】
ここで、接続端は、接続部８２に係合する。本実施例において、接続端は、弾性接続部品であり、弾性接続部品は、挿着溝に挿着されて係合する。具体的には、挿入溝が本体部８に係合してポジショニングされると、弾性接続部品は、挿着溝に係合して入り、把持部の本体部８に対する摺動を制限する。雲台１００を収納部３から取り出すとき、弾性接続部品は、押圧力の作用により挿着溝と分離する。
【００７７】
さらに、本実施例の電気接触部７は、複数の伸縮プローブを有し、複数の伸縮プローブは、接続端の周囲に分布し、このような配列方法により複数の伸縮プローブと電気接触部７との間の電気的接続をさらに安定させることができる。選択可能には、伸縮プローブの機能に基づいて、複数の電気接触部７を接続部８２の周囲に領域を分けて配列でき、上述の実施例の機能の異なる第１電気結合部及び第２電気結合部を例とすると、第１電気結合部及び第２電気結合部は、接続端の両側に設けられる。
【００７８】
図１９及び図２０を参照し、本実施例の雲台アセンブリは、アダプタ部品３００をさらに有し、アダプタ部品３００は、電気結合部に電気的に接続でき、アダプタ部品３００は、外部設備（例えば、携帯電話などの移動端末）を接続することで、雲台１００と外部設備とが通信接続を実現するようにするためのものである。
【００７９】
ここで、アダプタ部品３００には電気接続部８２が設けられ、電気接続部８２は、電気結合部に電気的に接続できる。選択可能には、電気接続部８２及び電気結合部はそれぞれ同一型番の電気コネクタのオスとメスであり、電気接続部８２と電気結合部とが適合しやすい。
【００８０】
さらに、アダプタ部品３００には固定端がさらに設けられ、固定端は、接続端に適合する。本実施例において、接続端は、弾性接続部品であり、固定端は、凹溝である。弾性接続部品が凹溝に挿着されて係合することで、アダプタ部品３００を挿入溝に固定して接続し、且つ電気接続部８２を電気結合部に接触させて電気的に接続させる。弾性接続部品と凹溝との機械的係合により電気接続部８２と電気結合部との接触を実現し、機械的係合の過程は、時間と労力を節約し、アダプタ部品３００と主制御盤６との間の電気的接続を迅速に実現できる。
【００８１】
アダプタ部品３００と外部設備とは、挿着の方法により電気的に接続でき、その他の接続方法により電気的接続を実現してもよい。選択可能には、外部設備は、アダプタ部品３００に回転可能に接続され、これにより外部設備の把持部に対する角度を調節し、ユーザの観察角度のニーズを満たすことができる。本発明の実施例において、アダプタ部品３００は、非導線方法であり、固定部品として外部設備を把持部に固定できることを説明する必要がある。
【００８２】
実施例３
図２及び図８から図１０を踏まえ、本発明の実施例３は、収納ケース２００を提供し、この収納ケース２００は、外筒１、主制御盤６、及び電気接触部７を有することができる。本実施例の外筒１は、頂面１１、底面１２、及び側壁１３を有し、側壁１３は、開口部を有する。主制御盤６は、外筒１内に設けられ、電気接触部７は、主制御盤６に電気的に接続され、しかも電気接触部７は、外筒内側壁に設けられる。
【００８３】
ここで、開口部を介して雲台１００を外筒１内に入れるとき、電気接触部７は、雲台１００に電気的に結合することで、主制御盤６と雲台１００とが電気的接続を実現するようにし、これにより主制御盤６により雲台１００に充電すること、主制御盤６と雲台１００とのデータ交換を実現することのうちの少なくとも一つに用いることができる。
【００８４】
本実施例の収納ケース２００は、雲台１００を収納するとともに、さらに雲台１００に電気供給／充電すること、雲台１００とデータ交換することのうちの少なくとも一つを行うことができ、しかも、電気接触部７は、雲台１００に接触して電気結合を実現し、簡単な構造により収納ケース２００と雲台１００との間の通信接続を実現でき、接続が便利で迅速であり、しかも外に設けられた導線が絡むという面倒がなく、製品の美観性が高い。
【００８５】
本実施例の収納ケース２００の構造は、図１から図２０に示すとおりであり、具体的には、実施例１の説明を参照でき、ここでは説明しない。
【００８６】
実施例４
図１６及び図１８を踏まえ、本発明の実施例４は、雲台アセンブリを提供し、この雲台アセンブリは、雲台１００、及び雲台１００を収納するための収納ケース２００を有することができる。ここで、収納ケース２００の構造は、上述実施例３の説明を参照でき、ここでは説明しない。
【００８７】
本実施例の雲台１００には電気結合部が設けられ、開口部を介して雲台１００を外筒１内に入れるとき、電気接触部７は、電気結合部に電気的に結合することで、主制御盤６と雲台１００とが電気的接続を実現するようにし、これにより主制御盤６により雲台１００に充電すること、主制御盤６と雲台１００とのデータ交換を実現することのうちの少なくとも一つを行うことができる。
【００８８】
雲台１００の構造は、上述実施例３と同じであり、具体的には、上述実施例３の説明を参照でき、ここでは説明しない。
【００８９】
さらに、本実施例の雲台アセンブリは、アダプタ部品３００をさらに有することができ、アダプタ部品３００の構造、及びアダプタ部品３００と雲台１００との係合方法は、上述実施例３におけるアダプタ部品３００の構造、及びアダプタ部品３００と雲台１００との係合方法にいずれも同じであり、具体的には、上述実施例３の説明を参照でき、ここでは説明しない。
【００９０】
本文において、第１と第２などの関係用語は、一つの実体又は操作をほかの実体又は操作と区別するためのものであるに過ぎず、これらの実体又は操作の間にいずれかの実際の関係又は順序があることを求めておらず、暗示しているわけではないことを説明する必要がある。用語「含む」、「含有」又はそのほかのいずれかの変形は、排他的でない包括をカバーすることを意図しており、これにより一連の要素を含むプロセス、方法、物品若しくは設備は、これらの要素を含むだけでなく、しかも明確に列記されていないそのほかの要素も含み、又はこのようなプロセス、方法、物品若しくは設備に固有の要素をさらに含むようになる。さらに多くの限定がなければ、語句「一つの・・・を含む」に限定される要素は、前記要素を含むプロセス、方法、物品又は設備においてそのほかの同一要素がさらに存在することを排除するわけではない。
【００９１】
以上のように本発明の実施例により提供される収納ケース、及びそれを有する雲台アセンブリを詳細に説明し、本文において、具体的な例示を応用して本発明の原理及び実施形態を説明したが、以上の実施例の説明は、本発明の方法及びその核心となる趣旨に対する理解を助けるためのものであるに過ぎない。同時に、当業者にとって、本発明の趣旨に基づいて、具体的な実施形態及び応用範囲のいずれにも変更できる箇所においては、以上を総合すると、本明細書の内容は、本発明に対する限定と理解されるべきではない。
【符号の説明】
【００９２】
１００  雲台
２００  収納ケース
１  外筒
１１  頂面
１１１  突起
１１２  摺動突起
１２  底面
１３  側壁
１４  ガイド溝
１５  固定突起
２  ホルダ
２１  固定部
２２  ロックベース
２３  充電ポート
３  収納部
４  ぜんまいばね
４１  第１端
４２  第２端
５  回転阻止部
５１  係着突起
５２  操作端
５３  弾性部品
６  主制御盤
７  電気接触部
８  本体部
８１  摺動フランジ
８２  接続部
９  スロット
３００  アダプタ部品
４００  フィルタ
５００  メモリカード
【図１】
2021534655.tif 000003
【図２】
2021534655.tif 000004
【図３】
2021534655.tif 000005
【図４】
2021534655.tif 000006
【図５】
2021534655.tif 000007
【図６】
2021534655.tif 000008
【図７】
2021534655.tif 000009
【図８】
2021534655.tif 000010
【図９】
2021534655.tif 000011
【図１０】
2021534655.tif 000012
【図１１】
2021534655.tif 000013
【図１２】
2021534655.tif 000014
【図１３】
2021534655.tif 000015
【図１４】
2021534655.tif 000016
【図１５】
2021534655.tif 000017
【図１６】
2021534655.tif 000018
【図１７】
2021534655.tif 000019
【図１８】
2021534655.tif 000020
【図１９】
2021534655.tif 000021
【図２０】
2021534655.tif 000022
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
収納ケースであって、
外筒であって、頂面、底面、及び側壁を有し、前記側壁が開口部を有する外筒と、
前記外筒内部に設けられ、前記外筒に回転可能に接続されるホルダと、を有し、
前記ホルダの表面と前記外筒の前記側壁との間の間隔は、収納部を構成し、前記ホルダと前記外筒との相対的な回転に伴い、前記開口部と前記収納部とを第１相対位置と第２相対位置との間で切り替える収納ケース。
【請求項２】
前記開口部と前記収納部とが第１相対位置にあるとき、前記収納部は、前記開口部により露出され、
前記開口部と収納部とが第２相対位置にあるとき、前記収納部は、前記側壁により遮蔽される請求項１に記載の収納ケース。
【請求項３】
前記ホルダと前記外筒との回転可能な接続は、弾性部により実現される請求項１又は２に記載の収納ケース。
【請求項４】
前記ホルダと前記外筒との回転可能な接続は、ホルダと外筒との間の歯止め噛合により実現される請求項１又は２に記載の収納ケース。
【請求項５】
前記ホルダと前記外筒との回転可能な接続は、前記ホルダと前記外筒との間に設けられたダンパにより実現される請求項１又は２に記載の収納ケース。
【請求項６】
前記弾性部は、前記ホルダと前記外筒との間に接続されたぜんまいばねを有する請求項３に記載の収納ケース。
【請求項７】
前記ぜんまいばねの第１端は、折り曲げ部を構成し、且つ前記外筒の前記底面の突起に係合すること、
前記ぜんまいばねの第２端は、折り曲げ部を構成し、且つ前記ホルダの側面の固定部に係合することのうちの少なくとも一つを特徴とする請求項６に記載の収納ケース。
【請求項８】
前記収納部と前記開口部とが第１相対位置にあるとき、前記ぜんまいばねは、平衡位置に位置し、
及び、前記収納部と前記開口部とが第２相対位置にあるとき、前記ぜんまいばねは、引っ張られる請求項６に記載の収納ケース。
【請求項９】
前記収納ケースは、前記ホルダを前記外筒にロックするための回転阻止部をさらに有する請求項１又は２に記載の収納ケース。
【請求項１０】
前記回転阻止部は、前記外筒の前記底面に接続され、前記ホルダは、ロックベースを有し、前記ロックベースは、前記外筒の前記底面を貫通するように設けられて前記外筒から露出し、
前記回転阻止部は、前記ロックベースに対して移動してロック状態とロック解除状態との間で切り替わることができ、
ここで、前記回転阻止部が前記ロックベースに対して前記ロック解除状態まで移動すると、前記ホルダは、前記外筒に対して回転することで、前記開口部と前記収納部とを第１相対位置と第２相対位置との間で切り替えることができ、
前記開口部と前記収納部とが第２相対位置にあると、前記回転阻止部が前記ロックベースに対して前記ロック状態まで移動することに伴い、前記ホルダを前記外筒にロックすることで、前記開口部と前記収納部とを第２相対位置に保つ請求項９に記載の収納ケース。
【請求項１１】
前記回転阻止部には係着突起が設けられ、前記ロックベースには係着溝が設けられ、
前記回転阻止部が前記ロックベースに対して前記ロック解除状態まで移動すると、前記係着突起は、前記係着溝と分離し、
前記回転阻止部が前記ロックベースに対して前記ロック状態まで移動すると、前記係着突起は、前記係着溝と係着して係合する請求項１０に記載の収納ケース。
【請求項１２】
前記回転阻止部には操作端が設けられ、前記操作端を操作することで、前記回転阻止部が前記ロックベースに対して移動してロック状態とロック解除状態との間で切り替わるようにする請求項１０に記載の収納ケース。
【請求項１３】
前記回転阻止部には弾性部品がさらに設けられ、前記弾性部品は、前記外筒の前記底面に固定して接続され、
前記操作端が被操作状態にあると、前記回転阻止部は、前記ロックベースに対して離れてロック解除状態へ切り替わり、
前記操作端が被操作状態から弛緩状態に切り替わると、前記回転阻止部は、前記弾性部品の弾性力の作用により前記ロックベースに対して近づいてロック状態へ切り替わる請求項１２に記載の収納ケース。
【請求項１４】
前記外筒の前記底面には収納溝が設けられ、前記回転阻止部は、前記収納溝内に摺動して接続され、
前記回転阻止部は、前記収納溝内において前記ロックベースに対して移動してロック状態とロック解除状態との間で切り替わる請求項１０に記載の収納ケース。
【請求項１５】
前記ロックベースは、円柱状を呈し、且つ充電ポートが設けられる請求項１０に記載の収納ケース。
【請求項１６】
前記外筒の前記底面は、第１蓋本体を有し、前記第１蓋本体は、環状を呈し、貫通孔を有し、前記ロックベースは、前記貫通孔を貫通して前記外筒から露出する請求項１０に記載の収納ケース。
【請求項１７】
前記第１蓋本体の辺縁には摺動突起が設けられ、前記摺動突起には前記第１蓋本体の周方向に沿って開設された固定溝が設けられ、
前記外筒の内側壁にはガイド溝及び固定突起が設けられ、前記ガイド溝及び前記固定突起は、前記外筒の周方向に沿って隣接して設けられ、
前記摺動突起は、前記ガイド溝に沿って前記固定突起へ摺動することで、前記固定突起を前記固定溝へ滑り入れ、前記固定溝と係合させ、前記第１蓋本体と前記側壁とを固定して接続させることができる請求項１６に記載の収納ケース。
【請求項１８】
前記摺動突起は、複数有し、複数の前記摺動突起は、前記第１蓋本体の辺縁に均等に分布する請求項１７に記載の収納ケース。
【請求項１９】
前記固定溝の両端は、前記摺動突起を貫通する請求項１７又は１８に記載の収納ケース。
【請求項２０】
前記外筒の前記底面は、第２蓋本体をさらに有し、前記第２蓋本体は、前記第１蓋本体の前記収納部から離れた側に設けられ、
前記第２蓋本体の前記第１蓋本体に向いた側には挿着突起が設けられ、前記挿着突起は、前記第１蓋本体と前記外筒の前記内側壁との間の隙間に挿着されて係合する請求項１７に記載の収納ケース。
【請求項２１】
前記収納ケースは、前記外筒内に設けられた主制御盤、及び前記主制御盤に電気的に接続された電気接触部をさらに有し、
前記電気接触部は、前記外筒の内側壁に設けられ、且つ前記収納部内に位置し、しかも、前記電気接触部は、雲台に電気的に結合することで、前記主制御盤と前記雲台とが電気的接続を実現するようにし、これにより前記主制御盤により前記雲台に充電すること、前記雲台とデータ交換することのうちの少なくとも一つに用いることができる請求項１に記載の収納ケース。
【請求項２２】
前記電気接触部は、電気接点を有する請求項２１に記載の収納ケース。
【請求項２３】
前記外筒の前記内側壁には本体部が設けられ、前記雲台を固定して接続するためのものであり、前記電気接触部は、前記本体部の接触面に設けられる請求項２１に記載の収納ケース。
【請求項２４】
前記本体部は、前記接触面の両側に位置する側辺を有し、各側辺には摺動フランジがそれぞれ設けられ、前記摺動フランジは雲台を滑り入れて前記本体部により前記雲台を固定し、且つ前記電気接触部を前記雲台に電気的に接続させるためのものである請求項２３に記載の収納ケース。
【請求項２５】
前記本体部の接触面には接続部がさらに設けられ、前記接続部は、前記雲台を取り外し可能に接続するためのものであり、
前記雲台が、前記摺動フランジに沿って前記本体部へ滑り入ると、前記接続部は、前記雲台に接続されることで、前記雲台の前記本体部に対する摺動を制限する請求項２４に記載の収納ケース。
【請求項２６】
前記電気接触部は、複数の電気接点を有し、複数の前記電気接点は、前記接続部の周囲に分布する請求項２５に記載の収納ケース。
【請求項２７】
前記接続部は、挿着溝である請求項２５に記載の収納ケース。
【請求項２８】
前記外筒の前記内側壁には前記雲台の形状に適合するための収納溝が設けられ、前記収納溝は、前記開口部に対向して設けられ、
前記電気接触部は、前記開口部と前記収納溝との間に位置する請求項２１に記載の収納ケース。
【請求項２９】
前記収納ケースは、電池をさらに有し、前記電池は、前記主制御盤に電気的に接続され、これにより前記雲台に充電すること、
前記収納ケースは、充電ポートをさらに有し、前記充電ポートは、前記外筒の前記底面を貫通するように設けられて前記外筒から露出し、且つ前記主制御盤に電気的に接続され、これにより前記雲台に充電することのうちの少なくとも一つを特徴とする請求項２１に記載の収納ケース。
【請求項３０】
前記収納ケースは、メモリをさらに有し、前記メモリは、前記主制御盤に電気的に接続され、
前記主制御盤は、前記雲台からデータ情報を取得し、且つ前記メモリ内に記憶させ、前記データ情報は、前記雲台に搭載された撮影装置により撮影された画像を含むことができる請求項２１に記載の収納ケース。
【請求項３１】
前記外筒の前記側壁にはスロットがさらに設けられ、前記スロットは、前記主制御盤に電気的に接続され、
前記メモリは、メモリカードであり、前記メモリカードは、前記スロットに挿着されて係合する請求項３０に記載の収納ケース。
【請求項３２】
前記スロットは、前記開口部に隣接して設けられる請求項３１に記載の収納ケース。
【請求項３３】
雲台を有する雲台アセンブリであって、
請求項１〜３２のいずれか一項に記載の収納ケースをさらに有し、前記収納ケースは、前記雲台を収納するためのものである雲台アセンブリ。
【請求項３４】
前記雲台は、手持ち雲台であり、把持部を有し、前記把持部には電気結合部が設けられ、
前記雲台が前記収納ケースの収納部内に収納されると、前記電気結合部は、前記収納ケースの電気接触部に電気的に接続されることで、前記収納ケースの主制御盤と前記雲台とが電気的接続を実現するようにし、これにより前記主制御盤により前記雲台に充電すること、前記雲台とデータ交換することのうちの少なくとも一つを行う請求項３３に記載の雲台アセンブリ。
【請求項３５】
前記電気結合部は、伸縮プローブを有する請求項３４に記載の雲台アセンブリ。
【請求項３６】
前記把持部には挿入溝がさらに設けられ、前記電気結合部は、前記挿入溝内に設けられ、
前記挿入溝は、前記収納ケースの摺動フランジに摺動係合することで、前記挿入溝を前記収納ケースの本体部に固定して接続させ、且つ前記電気結合部を前記電気接触部に電気的に接続させる請求項３４に記載の雲台アセンブリ。
【請求項３７】
前記把持部には接続端がさらに設けられ、前記接続端は、前記挿入溝内に設けられ、前記接続端は、前記収納ケースの接続部に係合することで、前記把持部の前記本体部に対する摺動を制限する請求項３６に記載の雲台アセンブリ。
【請求項３８】
前記電気結合部は、複数の伸縮プローブを有し、複数の前記伸縮プローブは、前記接続端の周囲に分布する請求項３７に記載の雲台アセンブリ。
【請求項３９】
前記接続端は、弾性接続部品を有し、前記弾性接続部品は、前記収納ケースの接続部に挿着されて係合する請求項３７に記載の雲台アセンブリ。
【請求項４０】
アダプタ部品をさらに有し、前記アダプタ部品は、前記電気結合部に電気的に接続でき、
前記アダプタ部品は、外部設備を接続することで、前記雲台と前記外部設備とが電気的接続を実現するようにするためのものである請求項３４に記載の雲台アセンブリ。
【請求項４１】
雲台を有する雲台アセンブリであって、
前記雲台を収納するための、請求項１〜１２のいずれか一項に記載の収納ケースをさらに有し、
前記雲台には電気結合部が設けられ、前記雲台が前記外筒内に収納されると、前記電気結合部は、前記収納ケースの電気接触部に電気的に接続されることで、前記収納ケースの主制御盤と前記雲台とが電気的接続を実現するようにし、これにより前記主制御盤により前記雲台を充電すること、前記雲台とデータ交換することのうちの少なくとも一つを行う雲台アセンブリ。
【請求項４２】
前記雲台は、手持ち雲台であり、把持部を有し、前記電気結合部は、前記把持部に設けられる請求項４１に記載の雲台アセンブリ。
【請求項４３】
前記電気結合部は、伸縮プローブを有する請求項４１又は４２に記載の雲台アセンブリ。
【請求項４４】
前記把持部には挿入溝がさらに設けられ、前記電気結合部は、前記挿入溝内に設けられ、
前記挿入溝は、前記収納ケースの摺動フランジに摺動係合することで、前記挿入溝を前記収納ケースの本体部に固定して接続させ、且つ前記電気結合部を前記電気接触部に電気的に接続させる請求項４２に記載の雲台アセンブリ。
【請求項４５】
前記把持部には接続端がさらに設けられ、前記接続端は、前記挿入溝内に設けられ、前記接続端は、前記収納ケースの接続部に係合することで、前記把持部の前記本体部に対する摺動を制限する請求項４４に記載の雲台アセンブリ。
【請求項４６】
前記電気結合部は、複数の伸縮プローブを有し、複数の前記伸縮プローブは、前記接続端の周囲に分布する請求項４５に記載の雲台アセンブリ。
【請求項４７】
前記接続端は、弾性接続部品を有し、前記弾性接続部品は、前記収納ケースの接続部に挿着されて係合する請求項４５に記載の雲台アセンブリ。
【請求項４８】
アダプタ部品をさらに有し、前記アダプタ部品は、前記電気結合部に電気的に接続でき、
前記アダプタ部品は、外部設備を接続することで、前記雲台と前記外部設備とが電気的接続を実現するようにするためのものである請求項４１に記載の雲台アセンブリ。
【請求項４９】
雲台収納ケースであって、
外筒であって、頂面、底面、及び側壁を有し、前記側壁が開口部を有する外筒と、
前記外筒内部に設けられ、前記外筒に回転可能に接続されるホルダと、を有し、
前記ホルダと前記外筒との間の間隔は、収納部を構成し、前記収納部は、雲台を収納するためのものである雲台収納ケース。
【請求項５０】
前記収納部は、前記ホルダと前記外筒との相対的な回転に伴って前記開口部により開放された状態になり、又は、前記側壁により遮蔽されて閉鎖された状態になる請求項４９に記載の雲台収納ケース。
【手続補正３】
【補正対象書類名】明細書
【補正対象項目名】００９１
【補正方法】変更
【補正の内容】
【００９１】
以上のように本発明の実施例により提供される収納ケース、及びそれを有する雲台アセンブリを詳細に説明し、本文において、具体的な例示を応用して本発明の原理及び実施形態を説明したが、以上の実施例の説明は、本発明の方法及びその核心となる趣旨に対する理解を助けるためのものであるに過ぎない。同時に、当業者にとって、本発明の趣旨に基づいて、具体的な実施形態及び応用範囲のいずれにも変更できる箇所においては、以上を総合すると、本明細書の内容は、本発明に対する限定と理解されるべきではない。
（項目１）
収納ケースであって、
外筒であって、頂面、底面、及び側壁を有し、前記側壁が開口部を有する外筒と、
前記外筒内部に設けられ、前記外筒に回転可能に接続されるホルダと、を有し、
前記ホルダの表面と前記外筒側壁との間の間隔は、収納部を構成し、前記ホルダと前記外筒との相対的な回転に伴い、前記開口部と前記収納部とを第１相対位置と第２相対位置との間で切り替える収納ケース。
（項目２）
前記開口部と前記収納部とが第１相対位置にあるとき、前記収納部は、前記開口部により露出され、
前記開口部と収納部とが第２相対位置にあるとき、前記収納部は、前記側壁により遮蔽される項目１に記載の収納ケース。
（項目３）
前記ホルダと前記外筒との回転可能な接続は、弾性部により実現される項目１又は２に記載の収納ケース。
（項目４）
前記ホルダと前記外筒との回転可能な接続は、ホルダと外筒との間の歯止め噛合により実現される項目１又は２に記載の収納ケース。
（項目５）
前記ホルダと前記外筒との回転可能な接続は、前記ホルダと前記外筒との間に設けられたダンパにより実現される項目１又は２に記載の収納ケース。
（項目６）
前記弾性部は、前記ホルダと前記外筒との間に接続されたぜんまいばねを有する項目３に記載の収納ケース。
（項目７）
前記ぜんまいばねの第１端は、折り曲げ部を構成し、且つ前記外筒底面の突起に係合すること、
前記ぜんまいばねの第２端は、折り曲げ部を構成し、且つ前記ホルダ側面の固定部に係合することのうちの少なくとも一つを特徴とする項目６に記載の収納ケース。
（項目８）
前記収納部と前記開口部とが第１相対位置にあるとき、前記ぜんまいばねは、平衡位置に位置し、
及び、前記収納部と前記開口部とが第２相対位置にあるとき、前記ぜんまいばねは、引っ張られる項目６に記載の収納ケース。
（項目９）
前記収納ケースは、前記ホルダを前記外筒にロックするための回転阻止部をさらに有する項目１又は２に記載の収納ケース。
（項目１０）
前記回転阻止部は、前記外筒底面に接続され、前記ホルダは、ロックベースを有し、前記ロックベースは、前記外筒底面を貫通するように設けられて前記外筒から露出し、
前記回転阻止部は、前記ロックベースに対して移動してロック状態とロック解除状態との間で切り替わることができ、
ここで、前記回転阻止部が前記ロックベースに対して前記ロック解除状態まで移動すると、前記ホルダは、前記外筒に対して回転することで、前記開口部と前記収納部とを第１相対位置と第２相対位置との間で切り替えることができ、
前記開口部と前記収納部とが第２相対位置にあると、前記回転阻止部が前記ロックベースに対して前記ロック状態まで移動することに伴い、前記ホルダを前記外筒にロックすることで、前記開口部と前記収納部とを第２相対位置に保つ項目９に記載の収納ケース。
（項目１１）
前記回転阻止部には係着突起が設けられ、前記ロックベースには係着溝が設けられ、
前記回転阻止部が前記ロックベースに対して前記ロック解除状態まで移動すると、前記係着突起は、前記係着溝と分離し、
前記回転阻止部が前記ロックベースに対して前記ロック状態まで移動すると、前記係着突起は、前記係着溝と係着して係合する項目１０に記載の収納ケース。
（項目１２）
前記回転阻止部には操作端が設けられ、前記操作端を操作することで、前記回転阻止部が前記ロックベースに対して移動してロック状態とロック解除状態との間で切り替わるようにする項目１０に記載の収納ケース。
（項目１３）
前記回転阻止部には弾性部品がさらに設けられ、前記弾性部品は、前記外筒底面に固定して接続され、
前記操作端が被操作状態にあると、前記回転阻止部は、前記ロックベースに対して離れてロック解除状態へ切り替わり、
前記操作端が被操作状態から弛緩状態に切り替わると、前記回転阻止部は、前記弾性部品の弾性力の作用により前記ロックベースに対して近づいてロック状態へ切り替わる項目１２に記載の収納ケース。
（項目１４）
前記外筒底面には収納溝が設けられ、前記回転阻止部は、前記収納溝内に摺動して接続され、
前記回転阻止部は、前記収納溝内において前記ロックベースに対して移動してロック状態とロック解除状態との間で切り替わる項目１０に記載の収納ケース。
（項目１５）
前記ロックベースは、円柱状を呈し、且つ充電ポートが設けられる項目１０に記載の収納ケース。
（項目１６）
前記外筒底面は、第１蓋本体を有し、前記第１蓋本体は、環状を呈し、貫通孔を有し、前記ロックベースは、前記貫通孔を貫通して前記外筒から露出する項目１０に記載の収納ケース。
（項目１７）
前記第１蓋本体の辺縁には摺動突起が設けられ、前記摺動突起には前記第１蓋本体の周方向に沿って開設された固定溝が設けられ、
前記外筒内側壁にはガイド溝及び固定突起が設けられ、前記ガイド溝及び前記固定突起は、前記外筒の周方向に沿って隣接して設けられ、
前記摺動突起は、前記ガイド溝に沿って前記固定突起へ摺動することで、前記固定突起を前記固定溝へ滑り入れ、前記固定溝と係合させ、前記第１蓋本体と前記側壁とを固定して接続させることができる項目１６に記載の収納ケース。
（項目１８）
前記摺動突起は、複数有し、複数の前記摺動突起は、前記第１蓋本体の辺縁に均等に分布する項目１７に記載の収納ケース。
（項目１９）
前記固定溝の両端は、前記摺動突起を貫通する項目１７又は１８に記載の収納ケース。
（項目２０）
前記外筒底面は、第２蓋本体をさらに有し、前記第２蓋本体は、前記第１蓋本体の前記収納部から離れた側に設けられ、
前記第２蓋本体の前記第１蓋本体に向いた側には挿着突起が設けられ、前記挿着突起は、前記第１蓋本体と前記外筒内側壁との間の隙間に挿着されて係合する項目１７に記載の収納ケース。
（項目２１）
前記収納ケースは、前記外筒内に設けられた主制御盤、及び前記主制御盤に電気的に接続された電気接触部をさらに有し、
前記電気接触部は、前記外筒内側壁に設けられ、且つ前記収納部内に位置し、しかも、前記電気接触部は、前記雲台に電気的に結合することで、前記主制御盤と前記雲台とが電気的接続を実現するようにし、これにより前記主制御盤により前記雲台に充電すること、前記雲台とデータ交換することのうちの少なくとも一つに用いることができる項目１に記載の収納ケース。
（項目２２）
前記電気接触部は、電気接点を有する項目２１に記載の収納ケース。
（項目２３）
前記外筒内側壁には本体部が設けられ、前記雲台を固定して接続するためのものであり、前記電気接触部は、前記本体部の接触面に設けられる項目２１に記載の収納ケース。
（項目２４）
前記本体部は、前記接触面の両側に位置する側辺を有し、各側辺には摺動フランジがそれぞれ設けられ、前記摺動フランジは雲台を滑り入れて前記本体部により前記雲台を固定し、且つ前記電気接触部を前記雲台に電気的に接続させるためのものである項目２３に記載の収納ケース。
（項目２５）
前記本体部の接触面には接続部がさらに設けられ、前記接続部は、前記雲台を取り外し可能に接続するためのものであり、
前記雲台が、前記摺動フランジに沿って前記本体部へ滑り入ると、前記接続部は、前記雲台に接続されることで、前記雲台の前記本体部に対する摺動を制限する項目２４に記載の収納ケース。
（項目２６）
前記電気接触部は、複数の電気接点を有し、複数の前記電気接点は、前記接続部の周囲に分布する項目２５に記載の収納ケース。
（項目２７）
前記接続部は、挿着溝である項目２５に記載の収納ケース。
（項目２８）
前記外筒内側壁には前記雲台形状に適合するための収納溝が設けられ、前記収納溝は、前記開口部に対向して設けられ、
前記電気接触部は、前記開口部と前記収納溝との間に位置する項目２１に記載の収納ケース。
（項目２９）
前記収納ケースは、電池をさらに有し、前記電池は、前記主制御盤に電気的に接続され、これにより前記雲台に充電すること、
前記収納ケースは、充電ポートをさらに有し、前記充電ポートは、前記外筒底面を貫通するように設けられて前記外筒から露出し、且つ前記主制御盤に電気的に接続され、これにより前記雲台に充電することのうちの少なくとも一つを特徴とする項目２１に記載の収納ケース。
（項目３０）
前記収納ケースは、メモリをさらに有し、前記メモリは、前記主制御盤に電気的に接続され、
前記主制御盤は、前記雲台からデータ情報を取得し、且つ前記メモリ内に記憶させ、前記データ情報は、前記雲台に搭載された撮影装置により撮影された画像を含むことができる項目２１に記載の収納ケース。
（項目３１）
前記外筒側壁にはスロットがさらに設けられ、前記スロットは、前記主制御盤に電気的に接続され、
前記メモリは、メモリカードであり、前記メモリカードは、前記スロットに挿着されて係合する項目３０に記載の収納ケース。
（項目３２）
前記スロットは、前記開口部に隣接して設けられる項目３１に記載の収納ケース。
（項目３３）
雲台を有する雲台アセンブリであって、
項目１〜３２のいずれか一項に記載の収納ケースをさらに有し、前記収納ケースは、前記雲台を収納するためのものである雲台アセンブリ。
（項目３４）
前記雲台は、手持ち雲台であり、把持部を有し、前記把持部には電気結合部が設けられ、
前記雲台が前記収納ケースの収納部内に収納されると、前記電気結合部は、前記収納ケースの電気接触部に電気的に接続されることで、前記収納ケースの主制御盤と前記雲台とが電気的接続を実現するようにし、これにより前記主制御盤により前記雲台に充電すること、前記雲台とデータ交換することのうちの少なくとも一つを行う項目３３に記載の雲台アセンブリ。
（項目３５）
前記電気結合部は、伸縮プローブを有する項目３４に記載の雲台アセンブリ。
（項目３６）
前記把持部には挿入溝がさらに設けられ、前記電気結合部は、前記挿入溝内に設けられ、
前記挿入溝は、前記収納ケースの摺動フランジに摺動係合することで、前記挿入溝を前記収納ケースの本体部に固定して接続させ、且つ前記電気結合部を前記電気接触部に電気的に接続させる項目３４に記載の雲台アセンブリ。
（項目３７）
前記把持部には接続端がさらに設けられ、前記接続端は、前記挿入溝内に設けられ、前記接続端は、前記収納ケースの接続部に係合することで、前記把持部の前記本体部に対する摺動を制限する項目３６に記載の雲台アセンブリ。
（項目３８）
前記電気結合部は、複数の伸縮プローブを有し、複数の前記伸縮プローブは、前記接続端の周囲に分布する項目３７に記載の雲台アセンブリ。
（項目３９）
前記接続端は、弾性接続部品を有し、前記弾性接続部品は、前記収納ケースの接続部に挿着されて係合する項目３７に記載の雲台アセンブリ。
（項目４０）
アダプタ部品をさらに有し、前記アダプタ部品は、前記電気結合部に電気的に接続でき、
前記アダプタ部品は、外部設備を接続することで、前記雲台と前記外部設備とが電気的接続を実現するようにするためのものである項目３４に記載の雲台アセンブリ。
（項目４１）
収納ケースであって、
外筒であって、頂面、底面、及び側壁を有し、前記側壁が開口部を有する外筒と、
前記外筒内に設けられた主制御盤と、
前記外筒内壁側に設けられ、前記主制御盤に電気的に接続された電気接触部と、を有し、
ここで、前記開口部を介して雲台を前記外筒内に入れるとき、前記電気接触部は、前記雲台に電気的に結合することで、前記主制御盤と前記雲台とが電気的接続を実現するようにし、これにより前記主制御盤が前記雲台に充電すること、前記雲台とデータ交換することのうちの少なくとも一つに用いることができる収納ケース。
（項目４２）
前記電気接触部は、電気接点を有する項目４１に記載の収納ケース。
（項目４３）
前記外筒内側壁には本体部が設けられ、前記雲台を固定して接続するためのものであり、前記電気接触部は、前記本体部の接触面に設けられる項目４１に記載の収納ケース。
（項目４４）
前記本体部は、前記接触面の両側に位置する側辺を有し、各側辺には摺動フランジがそれぞれ設けられ、雲台を滑り入れて前記本体部により前記雲台を固定し、且つ前記電気接触部を前記雲台に電気的に接続させるためのものである項目４３に記載の収納ケース。
（項目４５）
前記本体部の接触面には接続部がさらに設けられ、前記接続部は、前記雲台を取り外し可能に接続するためのものであり、
前記雲台が、前記摺動フランジに沿って前記本体部へ滑り入ると、前記接続部は、前記雲台に接続されることで、前記雲台の前記本体部に対する摺動を制限する項目４４に記載の収納ケース。
（項目４６）
前記電気接触部は、複数の電気接点を有し、複数の前記電気接点は、前記接続部の周囲に分布する項目４５に記載の収納ケース。
（項目４７）
前記接続部は、挿着溝である項目４５に記載の収納ケース。
（項目４８）
前記外筒内側壁には前記雲台形状に適合するための収納溝が設けられ、前記収納溝は、前記開口部に対向して設けられ、
前記電気接触部は、前記開口部と前記収納溝との間に位置する項目４１に記載の収納ケース。
（項目４９）
前記収納ケースは、電池をさらに有し、前記電池は、前記主制御盤に電気的に接続され、これにより前記雲台に充電すること、
前記収納ケースは、充電ポートをさらに有し、前記充電ポートは、前記外筒底面を貫通するように設けられて前記外筒から露出し、且つ前記主制御盤に電気的に接続され、これにより前記雲台に充電することのうちの少なくとも一つを特徴とする項目４１に記載の収納ケース。
（項目５０）
前記収納ケースは、メモリをさらに有し、前記メモリは、前記主制御盤に電気的に接続され、
前記主制御盤は、前記雲台からデータ情報を取得し、且つ前記メモリ内に記憶させ、前記データ情報は、前記雲台に搭載された撮影装置により撮影された画像を含むことができる項目４１に記載の収納ケース。
（項目５１）
前記外筒側壁にはスロットがさらに設けられ、前記スロットは、前記主制御盤に電気的に接続され、
前記メモリは、メモリカードであり、前記メモリカードは、前記スロットに挿着されて係合する項目５０に記載の収納ケース。
（項目５２）
前記スロットは、前記開口部に隣接して設けられる項目５１に記載の収納ケース。
（項目５３）
雲台を有する雲台アセンブリであって、
前記雲台を収納するための、項目１〜１２のいずれか一項に記載の収納ケースをさらに有し、
前記雲台には電気結合部が設けられ、前記雲台が前記外筒内に収納されると、前記電気結合部は、前記収納ケースの電気接触部に電気的に接続されることで、前記収納ケースの主制御盤と前記雲台とが電気的接続を実現するようにし、これにより前記主制御盤により前記雲台を充電すること、前記雲台とデータ交換することのうちの少なくとも一つを行う雲台アセンブリ。
（項目５４）
前記雲台は、手持ち雲台であり、把持部を有し、前記電気結合部は、前記把持部に設けられる項目５３に記載の雲台アセンブリ。
（項目５５）
前記電気結合部は、伸縮プローブを有する項目５３又は５４に記載の雲台アセンブリ。
（項目５６）
前記把持部には挿入溝がさらに設けられ、前記電気結合部は、前記挿入溝内に設けられ、
前記挿入溝は、前記収納ケースの摺動フランジに摺動係合することで、前記挿入溝を前記収納ケースの本体部に固定して接続させ、且つ前記電気結合部を前記電気接触部に電気的に接続させる項目５４に記載の雲台アセンブリ。
（項目５７）
前記把持部には接続端がさらに設けられ、前記接続端は、前記挿入溝内に設けられ、前記接続端は、前記収納ケースの接続部に係合することで、前記把持部の前記本体部に対する摺動を制限する項目５６に記載の雲台アセンブリ。
（項目５８）
前記電気結合部は、複数の伸縮プローブを有し、複数の前記伸縮プローブは、前記接続端の周囲に分布する項目５７に記載の雲台アセンブリ。
（項目５９）
前記接続端は、弾性接続部品を有し、前記弾性接続部品は、前記収納ケースの接続部に挿着されて係合する項目５７に記載の雲台アセンブリ。
（項目６０）
アダプタ部品をさらに有し、前記アダプタ部品は、前記電気結合部に電気的に接続でき、
前記アダプタ部品は、外部設備を接続することで、前記雲台と前記外部設備とが電気的接続を実現するようにするためのものである項目５３に記載の雲台アセンブリ。
（項目６１）
雲台収納ケースであって、
外筒であって、頂面、底面、及び側壁を有し、前記側壁が開口部を有する外筒と、
前記外筒内部に設けられ、前記外筒に回転可能に接続されるホルダと、を有し、
前記ホルダと前記外筒との間の間隔は、収納部を構成し、前記収納部は、前記雲台を収納するためのものである雲台収納ケース。
（項目６２）
前記収納部は、前記ホルダと前記外筒との相対的な回転に伴って前記開口部により開放された状態になり、又は、前記側壁により遮蔽されて閉鎖された状態になる項目６１に記載の雲台収納ケース。
【国際調査報告】
2021534655.tif 000023
2021534655.tif 000024
2021534655.tif 000025
2021534655.tif 000026
2021534655.tif 000027
2021534655.tif 000028